(57)【要約】ワイヤレス通信のための技法および装置が本明細書に説明される。いくつかの可能な態様に従って、基地局は、免許支援アクセス（ＬＡＡ）ネットワークにおけるクリアチャネルアセスメント（ＣＣＡ）を実行することに関連付けられて使用される乱数を決定する。基地局は、１つまたは複数の基地局によって決定された１つまたは複数の他の乱数と連携して決定される乱数を決定し得る。基地局は、１つまたは複数の他の基地局と衝突するのを低減または防止するためにＣＣＡを実行する時間を、乱数に基づいて決定し得る。【選択図】図１３
2018521567.tif 000002
【特許請求の範囲】
【請求項１】
ワイヤレス通信のための方法であって、
基地局が、免許支援アクセス（ＬＡＡ）ネットワークにおけるクリアチャネルアセスメント（ＣＣＡ）を実行することに関連付けられて使用される乱数を決定すること、
前記乱数は、１つまたは複数の他の基地局によって決定された１つまたは複数の他の乱数と連携して決定される、と、
前記基地局が、前記乱数に基づいて、前記１つまたは複数の他の基地局と衝突するのを低減または防止するために前記ＣＣＡを実行する時間を決定することと
を備える、方法。
【請求項２】
オフセット値を使用して前記乱数を修正することと、
前記オフセット値を使用して前記乱数を修正することに基づいて前記ＣＣＡを実行する前記時間を決定することと
をさらに備える、請求項１に記載の方法。
【請求項３】
前記乱数を生成することは、
前記乱数にオフセット値を加えること、または
前記乱数から前記オフセット値を引くこと
を備える、請求項２に記載の方法。
【請求項４】
第１のフレームについて前記乱数にオフセット値を加えることと、
第２のフレームについて前記乱数から前記オフセット値を引くことと
を備える、請求項１に記載の方法。
【請求項５】
前記基地局および前記１つまたは複数の他の基地局は、同じユーザ機器（ＵＥ）の通信範囲内にある、
請求項１に記載の方法。
【請求項６】
複数の数のセットから数のセットを選択すること、ここにおいて、前記複数の数のセット中の各数のセットは、数の一意のグループを含む、と、
前記数のセットに基づいて前記乱数を決定することと
をさらに備える、請求項１に記載の方法。
【請求項７】
前記数のセットは、前記基地局に対応する識別番号に基づいて選択される、
請求項６に記載の方法。
【請求項８】
前記乱数を決定することは、複数の数のセットの各々のあるインデックスにおける一意の数を各々が含む前記複数の数のセットのうちの１つから前記乱数を選択することを備える、
請求項１に記載の方法。
【請求項９】
前記１つまたは複数の他の基地局のうちの少なくとも１つから前記乱数を識別する情報を受信することをさらに備える、
請求項１に記載の方法。
【請求項１０】
チャネル品質インジケータ（ＣＱＩ）劣化イベントを検出することと、
１つまたは複数の基準が満たされるとき、前記ＣＱＩ劣化イベントを検出するにもかかわらず、ダウンリンクデータレートを維持することと
をさらに備える請求項１に記載の方法。
【請求項１１】
ユーザ機器から、前記ユーザ機器が干渉を受けているというインジケーションを受信することと、
前記ユーザ機器が干渉を受けているという前記インジケーションに基づいて前記ダウンリンクデータレートを維持することと
をさらに備える、請求項１０に記載の方法。
【請求項１２】
ワイヤレス通信のための基地局であって、
免許支援アクセス（ＬＡＡ）ネットワークにおけるクリアチャネルアセスメント（ＣＣＡ）を実行することに関連付けられて使用される乱数を決定すること、
前記乱数は、１つまたは複数の他の基地局によって決定された１つまたは複数の他の乱数と連携して決定される、と、
前記乱数に基づいて、前記１つまたは複数の他の基地局と衝突するのを低減または防止するために前記ＣＣＡを実行する時間を、決定することと
を行うように構成されるプロセッサを備える、基地局。
【請求項１３】
前記１つまたは複数のプロセッサは、
オフセット値を使用して前記乱数を修正することと、
前記オフセット値を使用して前記乱数を修正することに基づいて前記ＣＣＡを実行する前記時間を決定することと
を行うようにさらに構成される、請求項１２に記載の基地局。
【請求項１４】
前記１つまたは複数のプロセッサは、
第１のフレームについて前記乱数にオフセット値を加えることと、
第２のフレームについて前記乱数から前記オフセット値を引くことと
を行うようにさらに構成される、請求項１２に記載の基地局。
【請求項１５】
前記基地局および前記１つまたは複数の他の基地局は、同じユーザ機器（ＵＥ）の通信範囲内にある、
請求項１２に記載の基地局。
【請求項１６】
前記１つまたは複数のプロセッサは、
複数の数のセットから数のセットを選択すること、ここにおいて、前記複数の数のセット中の各数のセットは、数の一意のグループを含む、と、
前記数のセットに基づいて前記乱数を決定することと
を行うようにさらに構成される、請求項１２に記載の基地局。
【請求項１７】
前記数のセットは、前記基地局に対応する識別番号に基づいて選択される、
請求項１６に記載の基地局。
【請求項１８】
前記１つまたは複数のプロセッサは、前記乱数を決定するとき、
複数の数のセットの各々のあるインデックスにおける一意の数を各々が含む前記複数の数のセットのうちの１つから前記乱数を選択することを行うように構成される、
請求項１２に記載の基地局。
【請求項１９】
ワイヤレス通信のための装置であって、
免許支援アクセス（ＬＡＡ）ネットワークにおけるクリアチャネルアセスメント（ＣＣＡ）を実行することに関連付けられて使用される乱数を決定するための手段、
前記乱数は、１つまたは複数の他の基地局によって決定された１つまたは複数の他の乱数と連携して決定される、と、
前記乱数に基づいて、前記１つまたは複数の他の基地局と衝突するのを低減または防止するために前記ＣＣＡを実行する時間を決定するための手段と
を備える、装置。
【請求項２０】
オフセット値を使用して前記乱数を修正するための手段と、
前記オフセット値を使用して前記乱数を修正することに基づいて前記ＣＣＡを実行する前記時間を決定するための手段と
をさらに備える、請求項１９に記載の装置。
【請求項２１】
前記乱数を修正するための手段は、
前記乱数にオフセット値を加えるための手段、または
前記乱数から前記オフセット値を引くことための手段
を備える、請求項２０に記載の装置。
【請求項２２】
第１のフレームについて前記乱数にオフセット値を加えるための手段と、
第２のフレームについて前記乱数から前記オフセット値を引くための手段と
をさらに備える、請求項１９に記載の装置。
【請求項２３】
チャネル品質インジケータ（ＣＱＩ）劣化イベントを検出するための手段と、
１つまたは複数の基準が満たされるとき、前記ＣＱＩ劣化イベントを検出するにもかかわらず、ダウンリンクデータレートを維持するための手段と
をさらに備える、請求項１９に記載の装置。
【請求項２４】
ユーザ機器から、前記ユーザ機器が干渉を受けているというインジケーションを受信するための手段と、
前記ユーザ機器が干渉を受けているという前記インジケーションに基づいて前記ダウンリンクデータレートを維持するための手段と
をさらに備える、請求項２３に記載の装置。
【請求項２５】
ワイヤレス通信のための命令を記憶する非一時的なコンピュータ可読媒体であって、前記命令は、
基地局の１つまたは複数のプロセッサによって実行されると、前記１つまたは複数のプロセッサに、
免許支援アクセス（ＬＡＡ）ネットワークにおけるクリアチャネルアセスメント（ＣＣＡ）を実行することに関連付けられて使用される乱数を決定すること、
前記乱数は、１つまたは複数の他の基地局によって決定された１つまたは複数の他の乱数と連携して決定される、と、
前記乱数に基づいて、前記１つまたは複数の他の基地局と衝突するのを低減または防止するために前記ＣＣＡを実行する時間を決定することと
を行わせる１つまたは複数の命令を備える、非一時的なコンピュータ可読媒体。
【請求項２６】
前記１つまたは複数の命令は、前記１つまたは複数のプロセッサによって実行されると、前記１つまたは複数のプロセッサに、
複数の数のセットから数のセットを選択すること、ここにおいて、前記複数の数のセット中の各数のセットは、数の一意のグループを含む、と、
前記数のセットに基づいて前記乱数を決定することと
を行わせる、請求項２５に記載の非一時的なコンピュータ可読媒体。
【請求項２７】
前記数のセットは、前記基地局に対応する識別番号に基づいて選択される、
請求項２６に記載の非一時的なコンピュータ可読媒体。
【請求項２８】
前記１つまたは複数のプロセッサに前記乱数を決定させる前記１つまたは複数の命令は、前記１つまたは複数のプロセッサに、
複数の数のセットの各々のあるインデックスにおける一意の数を各々が含む前記複数の数のセットのうちの１つから前記乱数を選択することを行わせる、
請求項２５に記載の非一時的なコンピュータ可読媒体。
【請求項２９】
前記１つまたは複数の命令は、前記１つまたは複数のプロセッサによって実行されると、前記１つまたは複数のプロセッサに、
前記１つまたは複数の他の基地局のうちの少なくとも１つから前記乱数を識別する情報を受信することを行わせる、
請求項２５に記載の非一時的なコンピュータ可読媒体。
【請求項３０】
前記１つまたは複数の命令は、前記１つまたは複数のプロセッサによって実行されると、前記１つまたは複数のプロセッサに、
チャネル品質インジケータ（ＣＱＩ）劣化イベントを検出することと、
ユーザ機器から、前記ユーザ機器が干渉を受けているというインジケーションを受信することと、
前記ユーザ機器が干渉を受けているという前記インジケーションに基づいて、前記ＣＱＩ劣化イベントを検出するにもかかわらず、ダウンリンクデータレートを維持することと
を行わせる、請求項２５に記載の非一時的なコンピュータ可読媒体。
【発明の詳細な説明】
【技術分野】
【０００１】
本開示の態様は概して、ワイヤレス通信システムに関し、より具体的には、免許支援アクセス（ＬＡＡ：licensed assisted access）におけるダウンリンクデータレートを制御するための方法に関する。
【背景技術】
【０００２】
ワイヤレス通信ネットワークは、音声、ビデオ、パケットデータ、メッセージング、ブロードキャスト、等のような、様々な通信サービスを提供するために広く展開されている。これらワイヤレスネットワークは、利用可能なネットワークリソースを共有することによって複数のユーザをサポートする能力を有する多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００３】
ワイヤレ通信ネットワークは、たとえば、ラップトップ、携帯電話、ＰＤＡ、タブレット、等のような多数のモバイルデバイスのための通信をサポートすることができる多数のアクセスポイントを含む。ワイヤレスアクセスポイントは、その支援されたモバイルデバイスにより高いデータレートおよび増大した帯域幅を提供するために、無免許周波数スペクトルに影響力を与えるように免許支援アクセスを利用し得る。
【発明の概要】
【０００４】
免許支援アクセス（ＬＡＡ）システムの性能を増大するための方法、装置、およびシステムは、発明を実施するための形態に記載され、ある態様が以下に要約される。この概要および以下の詳細な説明は、統合開示（integrated disclosure）の相補的な部分として解釈されるべきであり、その部分は、冗長な主題事項（redundant subject matter）および／または補足的な主題事項（supplemental subject matter）を含み得る。いずれのセクションでの省略は、統合アプリケーションで説明される任意のエレメントの優先事項または相対的な重要性を示さない。セクション間の差は、それぞれの開示から明らかであるべきように、代替的な実施形態の補足的な開示、更なる詳細、または異なる用語を使用した同一の実施形態の代替的な記載を含み得る。
【０００５】
一態様では、ワイヤレス通信のための方法が提供され得る。方法は、免許支援アクセス（ＬＡＡ）ネットワークにおけるクリアチャネルアセスメント（ＣＣＡ）を実行することに関連付けられる使用されるべき乱数を決定することと、乱数に基づいて、１つまたは複数の他の基地局との衝突を低減または防止するためにＣＣＡを実行する時間を決定することとを含む。乱数は、１つまたは複数の基地局によって決定された１つまたは複数の他の乱数と連携して決定され得る。さらなる態様では、方法は、オフセット値を使用して乱数を修正することと、オフセット値を使用して乱数を修正することに基づいてＣＣＡを実行する時間を決定することとを含み得る。さらなる態様では、方法は、乱数にオフセット値を加えること、または乱数からオフセット値を引くことを含み得る。さらなる態様では、方法は、第１のフレームについて乱数にオフセット値を加えること、または第２のフレームについて乱数からオフセット値を引くことを含み得る。さらなる態様では、基地局および１つまたは複数の他の基地局は、同じユーザ機器の通信範囲内にあり得る。
【０００６】
さらなる態様では、方法は、複数の数のセットから数のセットを選択することと、数のセットに基づいて乱数を決定することとを含み得る。複数の数のセット中の各数のセットは、数の一意のグループを含み得る。さらなる態様では、数のセットは、基地局に対応する識別数に基づいて選択され得る。さらなる態様では、方法は、複数の数のセットの各々のあるインデックスにおける一意の数を各々が含む複数の数のセットのうちの１つから乱数を選択することによって乱数を決定することを含み得る。さらなる態様では、方法は、１つまたは複数の他の基地局のうちの少なくとも１つから乱数を識別する情報を受信することを含み得る。さらなる態様では、方法は、チャネル品質インジケータ（ＣＱＩ）劣化イベントを検出することと、１つまたは複数の基準が満たされるとき、ＣＱＩ劣化イベントが検出されるにもかかわらず、ダウンリンクデータレートを維持することとを含み得る。さらなる態様では、方法は、ユーザ機器からユーザ機器が干渉を受けているというインジケーションを受信することと、ユーザ機器が干渉を受けているというインジケーションに基づいてダウンリンクレートを維持することとを含み得る。
【０００７】
関連する態様では、ワイヤレス通信のための装置は、以上で要約された方法の任意のものおよび方法の態様を実行するために提供される。沿いうちは、たとえば、メモリに結合されたプロセッサを含み得、メモリは、装置に、以上で説明されたような動作を実行させるようにプロセッサによる実行のための命令を保持する。このような装置のある態様（たとえば、ハードウェア態様）は、ワイヤレス通信のために使用される様々なタイプのモバイルエンティティまたは基地局のような機器によって例証され得る。 同様に、製品が提供され、プロセッサによって実行されると、ワイヤレス通信装置に、以上で要約されたような方法および方法の態様を実行させる命令を記憶する非一時的コンピュータ可読媒体を含む。
【０００８】
前述の方法の動作の全ては、より詳細な他の場所での本明細書中に説明されるようなコンポーネントを使用してワイヤレス通信システムのネットワークエンティティまたはエンティティによって実行され得る。
【図面の簡単な説明】
【０００９】
開示の上で列挙されたおよび他の利点および特徴が得られることができるやり方を説明するために、以上で簡潔に説明した本質のさらなる特定の記述は、添付の図面に示されている特別な例を参照することによって、レンダリングされることになる。これらの図面が、本開示の例示の実施形態のみを図示しており、その範囲を限定するものとしてみなされるべきではないことを理解すると、原理の本開示は、添付の図面の使用を通して追加の特定性ならびに詳細とともに開示され説明される。
【図１】図１は、テレコミュニケーションシステムの例を概念的に示すブロック図である。
【図２】図２は、テレコミュニケーションシステムにおけるダウンリンクフレーム構造の例を概念的に示すブロック図である。
【図３】図３は、本開示の一態様に従って構成された基地局／ｅＮＢおよびＵＥの設計を概念的に示すブロック図である。
【図４Ａ】図４Ａは、連続的なキャリアアグリゲーションタイプを開示する。
【図４Ｂ】図４Ｂは、非連続的なキャリアアグリゲーションタイプを開示する。
【図５】図５は、例のリッスンビフォアトーク（ＬＢＴ）フレームを例示する。
【図６】図６は、ＬＡＡシステムの例を例示する。
【図７Ａ】図７Ａは、ＬＡＡシステムのさらなる例を例示する。
【図７Ｂ】図７Ｂは、ＬＡＡシステムのさらなる例を例示する。
【図８】図８は、サブフレームおよびリソースブロック割り振りを含む同時ダウンリンクフレームの例を例示する。
【図９】図９は、ＬＡＡネットワークにおけるダウンリンクデータレートを制御するための方法論の実施形態を例示する。
【図１０】図１０は、ＬＡＡネットワークにおけるダウンリンクデータレートを制御するための方法論の別の実施形態を例示する。
【図１１】図１１は、ＬＡＡネットワークにおけるダウンリンクデータレートを制御するための方法論の別の実施形態を例示する。
【図１２】図１２は、ＬＡＡネットワークにおけるダウンリンクデータレートを制御するための方法論の別の実施形態を例示する。
【図１３】図１３は、ＬＡＡネットワークにおける時分割多重（ＴＤＭ）のための方法論の実施形態を例示する。
【図１４】図１４は、ＬＡＡネットワークにおける時分割（ＴＤＭ）のための方法論の別の実施形態を例示する。
【図１５】図１５は、ＬＡＡネットワークにおけるサブフレーム割り振りのための方法論の実施形態を例示する。
【図１６】図１６は、ＬＡＡネットワークにおけるサブフレーム割り振りのための方法論の別の実施形態を例示する。
【図１７】図１７は、ＬＡＡネットワークにおけるサブフレーム割り振りのための方法論の別の実施形態を例示する。
【図１８】図１８は、ＬＡＡネットワークにおけるサブフレーム割り振りのための方法論の別の実施形態を例示する。
【図１９】図１９は、ＬＡＡネットワークにおけるサブフレーム割り振りのための方法論の別の実施形態を例示する。
【図２０】図２０は、図９の方法論をインプリメントするための例の装置を例示する。
【図２１】図２０は、図１０の方法論をインプリメントするための例の装置を例示する。
【図２２】図２０は、図１１の方法論をインプリメントするための例の装置を例示する。
【図２３】図２０は、図１２の方法論をインプリメントするための例の装置を例示する。
【図２４】図２０は、図１３の方法論をインプリメントするための例の装置を例示する。
【図２５】図２０は、図１４の方法論をインプリメントするための例の装置を例示する。
【図２６】図２０は、図１５の方法論をインプリメントするための例の装置を例示する。
【図２７】図２０は、図１６の方法論をインプリメントするための例の装置を例示する。
【図２８】図２０は、図１７の方法論をインプリメントするための例の装置を例示する。
【図２９】図２０は、図１８の方法論をインプリメントするための例の装置を例示する。
【図３０】図２０は、図１９の方法論をインプリメントするための例の装置を例示する。
【発明の詳細な説明】
【００１０】
添付図面に関連して以下に述べられる詳細な説明は、様々な構成の説明として意図されたものであり、本明細書で説明される概念が実施され得る唯一の構成を表すように意図したものではない。詳細な説明は、様々な概念の完全な理解を提供する目的で指定の詳細を含む。しかしながら、これらの概念がこれらの指定の詳細なく実施され得ることは、当業者には明らかであろう。いくつかの例では、このような概念を曖昧にすることを避けるために、周知の構造およびコンポーネントがブロック図形式で図示される。
【００１１】
本明細書で説明される技法は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークに使用され得る。「ネットワーク」および「システム」という用語は、度々、交換可能に使用される。ＣＤＭＡネットワークは、ユニバーサルテレストリアルラジオアクセス（ＵＴＲＡ）、ＣＤＭＡ２０００、等のような無線技術をインプリメントし得る。ＵＴＲＡは、広帯域ＣＤＭＡ（ＷＣＤＭＡ（登録商標））およびＣＤＭＡの他の変形を含む。ＣＤＭＡ２０００は、ＩＳ−２０００、ＩＳ−９５、ＩＳ−８５６規格をカバーする。ＴＤＭＡネットワークは、グローバルシステムフォーモバイルコミュニケーション（ＧＳＭ（登録商標））のような無線技術をインプリメントし得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等のような無線技術を実現し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ（登録商標））およびＬＴＥアドバンスト（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標））という名称の団体による文書中で説明されている。ＣＤＭＡ２０００およびＵＭＢは、「第３世代パートナーシッププロジェクト２」（３ＧＰＰ２）という名称の団体による文書中で説明されている。本明細書に説明される技法は、上述されたワイヤレスネットワークおよび無線技術ならびに他のワイヤレスネットワークおよび無線技術に対して使用され得る。明確さのために、技法のある特定の態様は、ＬＴＥに関して以下に説明され、以下の説明の大部分でＬＴＥ用語が使用される。
【００１２】
図１は、ワイヤレス通信ネットワーク１００を示し、これは、ＬＴＥネットワークであり得る。ワイヤレスネットワーク１００は、多数のｅＮＢ１１０および他のネットワークエンティティを含み得る。ｅＮＢは、ＵＥと通信する局であり、また、基地局、ノードＢ、アクセスポイント、あるいは他の用語で称され得る。各ｅＮＢ１１０ａ、１１０ｂ、１１０ｃは、特定の地理的エリアのための通信カバレージを提供し得る。３ＧＰＰでは、「セル」という用語は、この用語が使用されるコンテキストに応じて、ｅＮＢのカバレージエリア、および／または、このカバレージエリアにサービス提供するｅＮＢサブシステムを指し得る。
【００１３】
ｅＮＢは、マクロセル、ピコセル、フェムトセル、および／または、他のタイプのセルのための通信カバレージを提供し得る。マクロセルは、比較的広い地理的エリア（例えば、半径数キロメートル）をカバーし、サービスに加入しているＵＥによる無制限アクセスを可能にし得る。ピコセルは、比較的狭い地理的エリアをカバーし、サービスに加入しているＵＥによる無制限アクセスを可能にし得る。フェムトセルは、比較的より狭い地理的エリア（例えば、住居）をカバーし、フェムトセルとの関連を有するＵＥ（例えば、限定加入者グループ（ＣＳＧ）のＵＥ、住居内のユーザのためのＵＥ、等）による制限されたアクセスを可能にし得る。マクロセルに対するｅＮＢは、マクロｅＮＢと称され得る。ピコセルに対するｅＮＢは、ピコｅＮＢと称され得る。フェムトセルのためのｅＮＢは、フェムトｅＮＢまたはホームｅＮＢ（ＨＮＢ）と称され得る。図１に示される例では、ｅＮＢ１１０ａ、１１０ｂ、および１１０ｃはそれぞれ、マクロセル１０２ａ、１０２ｂ、および１０２ｃのためのマクロｅＮＢであり得る。ｅＮＢ１１０ｘは、ＵＥ１２０ｘにサービス提供する、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（例えば、３つの）セルをサポートし得る。
【００１４】
ワイヤレスネットワーク１００は、異なるタイプのｅＮＢ、たとえば、マクロｅＮＢ、ピコｅＮＢ、フェムトｅＮＢ、リレー、等を含む異種ネットワークであり得る。これらの異なるタイプのｅＮＢは、ワイヤレスネットワーク１００内において、異なる送信電力レベル、異なるカバレッジエリア、および干渉に対する異なる影響を有し得る。例えば、マクロｅＮＢが高い送信電力レベル（たとえば、２０ワット）を有し得るのに対し、ピコｅＮＢ、フェムトｅＮＢ、および中継器は、より低い送信電力レベル（たとえば、１ワット）を有し得る。
【００１５】
ワイヤレスネットワーク１００は、同期または非同期動作をサポートし得る。ブロードキャスト動作は、定義されたエリア内の基地局の同期を要求するが、本技術は、これらに限定されない。同期動作では、ｅＮＢが同様のフレームタイミングを有し得、異なるｅＮＢからの送信は時間的に近似にアラインされ得る。非同期動作では、ｅＮＢは、異なるフレームタイミングを有し得、異なるｅＮＢからの送信は、時間的にアラインされないことがあり得る。本明細書において説明される技法は、同期および非同期動作の両方に対して使用され得る。
【００１６】
ネットワークコントローラ１３０は、ｅＮＢのセットに結合し得、これらのｅＮＢ１１０に対して調整および制御を提供し得る。ネットワークコントローラ１３０は、バックホールを介してｅＮＢ１１０と通信し得る。ｅＮＢ１１０はまた、例えば、ワイヤレスまたはワイヤラインバックホールを介して直接または間接的に互いに通信し得る。
【００１７】
ＵＥ１２０は、ワイヤレスネットワーク１００全体にわたって分布され得、各ＵＥは、固定式または移動式であり得る。ＵＥは、端末、モバイル局、加入者ユニット、局、等とも称され得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、または他のモバイルデバイスであり得る。ＵＥは、マクロｅＮＢ、ピコｅＮＢ、フェムトｅＮＢ、リレー、または他のネットワークエンティティと通信可能であり得る。図１では、両矢印付きの実線は、ＵＥと、ダウンリンクおよび／またはアップリンク上でＵＥにサービス提供するように指定されたｅＮＢであるサービングｅＮＢとの間の所望の送信を示す。両矢印を有する破線は、ＵＥとｅＮＢとの間での干渉する送信を示す。
【００１８】
ＬＴＥは、ダウンリンク上で直交周波数分割多重（ＯＦＤＭ）を、アップリンク上で単一キャリア周波数分割多重（ＳＣ−ＦＤＭ）を、利用する。ＯＦＤＭおよびＳＣ−ＦＤＭは、システム帯域幅を複数（Ｋ）個の直交サブキャリアに分割し、これは、一般的に、トーン、ビン、等とも称される。各サブキャリアは、データで変調され得る。一般に、変調シンボルは、ＯＦＤＭでは周波数ドメインにおいて、およびＳＣ−ＦＤＭＡでは時間ドメインにおいて送られる。隣接するサブキャリア間の間隔は固定であり得、サブキャリアの合計数（Ｋ）は、システム帯域幅に依存し得る。例えば、Ｋは、１．２５、２．５、５、１０または２０メガヘルツ（ＭＨｚ）のシステム帯域幅に対して、それぞれ１２８、２５６、５１２、１０２４または２０４８に等しくなり得る。システム帯域幅はまた、サブバンドに区分され得る。例えば、サブバンドは、１．０８ＭＨｚをカバーし得、１．２５、２．５、５、１０または２０ＭＨｚのシステム帯域幅に対して、それぞれ１つ、２つ、４つ、８つ、または１６個のサブバンドがあり得る。
【００１９】
図２は、ＬＴＥにおいて使用されるダウンリンクフレーム構造を示す。ダウンリンクのための送信タイムラインは、無線フレーム２００のユニットに分割され得る。各無線フレーム、例えば、フレーム２０２は、所定の持続時間（たとえば、１０ミリ秒（ｍｓ））を有し、０〜９のインデックスを有する１０個のサブフレーム２０４に分割され得る。各サブフレーム、例えば、「サブフレーム０」２０６は、２つのスロット、例えば、「スロット０」２０８および「スロット１」２１０を含み得る。従って、各無線フレームは、０〜１９のインデックスを有する２０個のスロットを含み得る。各スロットは、Ｌ個のシンボル期間、たとえば、図２に示されるような、ノーマルなサイクリックプレフィックス（ＣＰ）のための７個のシンボル期間２１２、または拡張されたサイクリックプレフィックスのための６個のシンボル期間を含み得る。ノーマルなＣＰおよび拡張されたＣＰは、本明細書では異なるＣＰのタイプと称され得る。各サブフレームにおける２Ｌ個のシンボル期間は、０〜２Ｌ−１のインデックスを割り当てられ得る。利用可能な時間周波数リソースは、リソースブロックに分割され得る。各リソースブロックは、１つのスロットにおいて「Ｎ」個のサブキャリア（たとえば、１２個のサブキャリア）をカバーし得る。
【００２０】
ＬＴＥでは、ｅＮＢ１１０は、ｅＮＢ１１０における各セルについてのプライマリ同期信号（ＰＳＳ）およびセカンダリ同期信号（ＳＳＳ）を送り得る。プライマリおよびセカンダリ同期信号は、図２中に示されるように、通常のサイクリックプレフィックスを持つ各無線フレームのサブフレーム０および５の各々中のシンボル期間６および５中で、それぞれ、送られ得る。同期信号は、セル検出および獲得のためにＵＥによって使用され得る。ｅＮＢ１１０は、サブフレーム０のスロット１におけるシンボル期間０〜３で、物理ブロードキャストチャネル（ＰＢＣＨ）を送り得る。ＰＢＣＨは、ある特定のシステム情報を搬送し得る。
【００２１】
図２では第１のシンボル期間２１４全体が描写されているが、ｅＮＢ１１０は、各サブフレームの第１のシンボル期間の一部のみで物理制御フォーマットインジケータ・チャネル（ＰＣＦＩＣＨ）を送り得る。ＰＣＦＩＣＨは、制御チャネルのために使用されるシンボル期間の数（Ｍ個）を伝達し、ここで、Ｍは、１、２または３に等しく、サブフレームごとに変化し得る。Ｍはまた、例えば、１０個未満のリソースブロックを有する小さなシステム帯域幅では、４に等しくなり得る。図２に示される例では、Ｍ＝３である。ｅＮＢ１１０は、各サブフレームの第１のＭ個のシンボル期間（図２ではＭ＝３）において、物理Ｈ−ＡＲＱインジケータチャネル（ＰＨＩＣＨ）および物理ダウンリンク制御チャネル（ＰＤＣＣＨ）を送り得る。ＰＨＩＣＨは、ハイブリッド自動再送（Ｈ−ＡＲＱ）をサポートするための情報を搬送し得る。ＰＤＣＣＨは、ＵＥに対するリソース割り振りに関する情報と、ダウンリンクチャネルのための制御情報とを搬送し得る。図２中の第１のシンボル期間には示されていないが、ＰＤＣＣＨおよびＰＨＩＣＨもまた、第１のシンボル期間に含まれることが理解される。同様に、ＰＨＩＣＨおよびＰＤＣＣＨはまた、図２ではそのようには示されていないが、第２および第３のシンボル期間の両方に存在する。ｅＮＢ１１０は、各サブフレームの残りのシンボル期間において物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。ＬＴＥにおける様々な信号およびチャネルは、「Evolved Universal Terrestrial Radio Access (E-UTRA); Physical Channels and Modulation」と題する、３ＧＰＰ ＴＳ ３６．２１１に記述されており、それは公的に入手可能である。
【００２２】
ｅＮＢ１１０は、ｅＮＢ１１０によって使用されるシステム帯域幅の中心１．０８ＭＨｚにおいてＰＳＳ、ＳＳＳ、およびＰＢＣＨを送り得る。ｅＮＢ１１０は、ＰＣＦＩＣＨおよびＰＨＩＣＨが送られる各シンボル期間にシステム帯域幅全体にわたってこれらのチャネルを送り得る。ｅＮＢ１１０は、システム帯域幅のある特定の部分においてＵＥのグループにＰＤＣＣＨを送り得る。ｅＮＢ１１０は、システム帯域幅の特定の部分において特定のＵＥにＰＤＳＣＨを送り得る。ｅＮＢ１１０は、ＰＳＳ、ＳＳＳ、ＰＢＣＨ、ＰＣＦＩＣＨ、およびＰＨＩＣＨをブロードキャスト方式ですべてのＵＥに送り得、ＰＤＣＣＨをユニキャスト方式で特定のＵＥに送り得、ＰＤＳＣＨもユニキャスト方式で特定のＵＥに送り得る。
【００２３】
多数のリソース要素が各シンボル期間において利用可能であり得る。各リソース要素は、１つのシンボル期間において１つのサブキャリアをカバーし得、１つの変調シンボルを送るために使用され得、それは、実数または複素数であり得る。各シンボル期間における基準信号のために使用されないリソース要素は、リソース要素グループ（ＲＥＧ）内に配置され得る。各ＲＥＧは、１つのシンボル期間における４つのリソース要素を含み得る。ＰＣＦＩＣＨは、４つのＲＥＧを占有し得、それらは、シンボル期間０において周波数にわたってほぼ等しく間隔を空けられ得る。ＰＨＩＣＨは、１つまたは複数の構成可能なシンボル期間内において３つのＲＥＧを占有し、それらは、周波数にわたって拡散され得る。例えば、ＰＨＩＣＨのための３つのＲＥＧは、すべてシンボル期間０に属し得るか、またはシンボル期間０、１および２において拡散され得る。ＰＤＣＣＨは、９、１８、３２、または６４個のＲＥＧを占有し、これらは、最初のＭ個のシンボル期間において、利用可能なＲＥＧから選択され得る。ＲＥＧのある特定の組み合わせのみが、ＰＤＣＣＨに対して許可され得る。
【００２４】
ＵＥは、ＰＨＩＣＨおよびＰＣＦＩＣＨに使用される特定のＲＥＧを知り得る。ＵＥは、ＰＤＣＣＨのために、ＲＥＧの異なる組み合わせを探索し得る。探索するための組み合わせの数は、典型的にＰＤＣＣＨに対して許可される組み合わせの数より少ない。ｅＮＢ１１０は、ＵＥが探索するであろう任意の組合せにおいてＰＤＣＣＨをＵＥに送り得る。
【００２５】
図３は、基地局／ｅＮＢ１１０およびＵＥ１２０の設計のブロック図を示し、それらは、図１における基地局／ｅＮＢ１１０のうちの１つおよびＵＥ１２０のうちの１つであり得る。基地局１１０はまた、何らかの他のタイプの基地局であり得る。基地局１１０は、アンテナ３３４ａ〜３３４ｔを備え、ＵＥ１２０は、アンテナ３５２ａ〜３５２ｒを備え得る。
【００２６】
基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨ、等のためのものであり得る。データは、ＰＤＳＣＨ、等のためのものであり得る。プロセッサ３２０は、データおよび制御情報を処理（たとえば、符号化およびシンボルマッピング）して、データシンボルおよび制御シンボルをそれぞれ取得し得る。プロセッサ３２０はまた、たとえば、ＰＳＳ、ＳＳＳのための基準シンボル、およびセル固有の基準信号を生成し得る。送信（ＴＸ）多入力多出力（ＭＩＭＯ）プロセッサ３３０は、適用可能な場合、データシンボル、制御シンボル、および／または基準シンボルに空間処理（たとえば、プリコーディング）を実行し、出力シンボルストリームを変調器（ＭＯＤ）３３２ａ〜３３２ｔに提供し得る。各変調器３３２は、出力サンプルストリームを取得するために、該当する出力シンボルストリーム（例えば、ＯＦＤＭ等のための）を処理し得る。各変調器３３２はさらに、ダウンリンク信号を取得するために、出力サンプルストリームを処理（例えば、アナログ変換、増幅、フィルタリング、およびアップコンバート）し得る。変調器３３２ａ〜３３２ｔからのダウンリンク信号は、それぞれ、アンテナ３３４ａ〜３３４ｔを介して送信され得る。
【００２７】
ＵＥ１２０において、アンテナ３５２ａ〜３５２ｒは、基地局１１０、および／または近隣基地局からダウンリンク信号を受信し、受信信号を、それぞれ、復調器（ＤＥＭＯＤ）３５４ａ〜３５４ｒに提供し得る。各復調器３５４は、入力サンプルを取得するために、該当する受信信号を調整（例えば、フィルタリング、増幅、ダウンコンバート、およびデジタル化）し得る。各復調器３５４はさらに、受信シンボルを取得するために、（例えば、ＯＦＤＭ、等のための）入力サンプルを処理し得る。ＭＩＭＯ検出器３５６は、すべての復調器３５４ａ〜３５４ｒからの受信シンボルを取得し、適用可能な場合、受信されたシンボルに対してＭＩＭＯ検出を実行し、検出されたシンボルを提供し得る。受信（ＲＸ）プロセッサ３５８は、検出されたシンボルを処理（例えば、復調、デインタリーブ、および復号）し、ＵＥ３２０のための復号されたデータをデータシンク３６０に提供し、復号された制御情報をコントローラ／プロセッサ３８０に提供し得る。
【００２８】
アップリンクでは、ＵＥ１２０において、送信プロセッサ３６４は、データソース３６２から（たとえば、ＰＵＳＣＨのための）データを、およびコントローラ／プロセッサ３８０から（たとえばＰＵＣＣＨのための）制御情報を、受信および処理し得る。プロセッサ３６４はまた、基準信号のための基準シンボルを生成し得る。送信プロセッサ３６４からのシンボルは、適用可能な場合、ＴＸ ＭＩＭＯプロセッサ３６６によってプリコードされ、（たとえば、ＳＣ−ＦＤＭ、等のために）変調器３５４ａ〜３５４ｒによってさらに処理され、基地局１１０に送信され得る。基地局１１０において、ＵＥ１２０からのアップリンク信号が、アンテナ３３４によって受信され、復調器３３２によって処理され、適用可能な場合にはＭＩＭＯ検出器３３６によって検出され、受信プロセッサ３３８によってさらに処理されて、ＵＥ１２０によって送られた、復号されたデータおよび制御情報を取得し得る。プロセッサ３３８は、データシンク３３９に復号されたデータを、およびコントローラ／プロセッサ３４０に復号された制御情報を、提供し得る。
【００２９】
ＵＥがサービングセルｃのためのＰＵＣＣＨ上での同期送信無しにＰＵＳＣＨ上でデータを送信する場合、サービングセルｃのためのサブフレームｉにおけるＰＵＳＣＨ送信についてのＵＥ送信電力ＰPUSCH, c（ｉ）は、以下の式によって与えられ得る。
【００３０】
【数１】
2018521567.tif 000003
【００３１】
たとえば、ＰO_PUSCH,cは、ターゲット受信電力であり得る。αcは、ターゲット受信電力のスロープであり得る。
【００３２】
ＬＴＥにおける電力制御のためのさらなる詳細および定式化は、本願明細書に組み込まれる、たとえば、３ＧＰＰ  ＴＳ  ３６．２１３において提供され得る。
【００３３】
コントローラ／プロセッサ３４０および３８０は、それぞれ、基地局１１０およびＵＥ１２０における動作を指示し得る。基地局１１０におけるプロセッサ３４０および／または他のプロセッサおよびモジュールは、本明細書で説明される技法のための様々なプロセスを実行するか、またはその実行を指示し得る。プロセッサ３８０および／またはＵＥ１２０における他のプロセッサおよびモジュールはまた、以下の図に示される機能ブロック、および／または本明細書で説明される技術のための他の処理の実行を遂行または指示し得る。プロセッサ３４０および／またはＵＥ１１０における他のプロセッサおよびモジュールはまた、以下の図に示される機能ブロック、および／または本明細書で説明される技術のための他の処理の実行を遂行または指示し得る。メモリ３４２および３８２は、それぞれ、基地局１１０およびＵＥ１２０のためのデータおよびプログラムコードを格納し得る。スケジューラ３４４は、ダウンリンクおよび／またはアップリンク上におけるデータ送信のためにＵＥをスケジューリングし得る。
【００３４】
容易に認識されることになるように、アンテナ３３４、変調器３３２、送信プロセッサ３２０、および／またはＴＸ ＭＩＭＯプロセッサ３３０は、ｅＮＢ１１０の送信チェーンを形成し、プロセッサ３４０の制御下のダウンリンク信号を送るまたは送信するための手段を提供し得る。たとえば、送信チェーンは、免許支援アクセス（ＬＡＡ）ネットワーク（つまり、ＬＴＥ−Ｕ）におけるクリアチャネルアセスメント（ＣＣＡ）を実行するための手段を提供し得る。
【００３５】
容易に認識されることになるように、アンテナ３３４、復調器３３２、受信プロセッサ３３８、および／またはＲＸ ＭＩＭＯ検出器３３６は、ｅＮＢ１１０の受信チェーンを形成し、ＬＡＡにおけるＣＡＡを実行するための手段を提供し得る。
【００３６】
一態様では、プロセッサ３４０は、メモリ３４２で保持された命令を実行することによって、本明細書で説明される方法の動作を実行するためのモジュールを含み得る。たとえば、そのようなモジュールは、免許支援アクセス（ＬＡＡ）ネットワークにおけるダウンリンクデータレートを制御するための手段と、ＬＡＡネットワークにおける時分割多重（ＴＤＭ）を実行するための手段、またはＬＡＡネットワークにおけるサブフレームを割り振るための手段とを含み得る。たとえば、そのようなモジュールは、送信チェーンおよび受信チェーンそれぞれの動作を制御するために、プロセッサ３４０によって利用され得る。
【００３７】
コントローラ／プロセッサ３４０および３８０は、それぞれ、ｅＮＢ１１０およびＵＥ１２０における動作を指示し得る。基地局１１０におけるプロセッサ３４０および／または他のプロセッサおよびモジュールは、本明細書で説明される技法のための様々なプロセスを実行するか、またはその実行を指示し得る。プロセッサ３８０および／またはＵＥ１２０における他のプロセッサおよびモジュールはまた、図２０−３０に示される機能ブロック、および／または本明細書で説明される技術のための他の処理の遂行を実行または指示し得る。メモリ３４２および３８２は、それぞれ、基地局１１０およびＵＥ１２０のためのデータおよびプログラムコードを格納し得る。スケジューラ３４４は、ダウンリンクおよび／またはアップリンク上におけるデータ送信のためにＵＥをスケジューリングし得る。
【００３８】
１つの構成では、基地局１１０は、以下の図中に示される処理を実行するための手段を含み得る。一態様では、前述の手段は、前述の手段によって列挙された機能を実行するように構成された、プロセッサ、コントローラ／プロセッサ３４０、メモリ３４２、受信プロセッサ３３８、ＭＩＭＯ検出器３３６、復調器３３２ａ、およびアンテナ３３４２ａであり得る。別の態様では、前述の手段は、前述の手段によって列挙された機能を実行するように構成されたモジュールまたは任意の装置であり得る。 
図４Ａは、連続的なキャリアアグリゲーションの例を示す。ＬＴＥのための高いデータレートを達成するために、単一キャリアまたはチャネルを使用してサポートされる送信帯域幅を増加させることが必要であり得る。キャリアアグリゲーション（ＣＡ）を使用することによって、１つより多くのキャリアを使用し、全体の帯域幅を増加させることが可能である。実施形態では、Ｋ個のコンポーネントキャリア（ＣＣ）が利用可能であり、互いに隣接し得、ここで、一般にＫは、整数値である。Ｋは、いくつかのＬＴＥリリースにおいて５以下に限定され得る。図４Ａに示されるように、コンポーネントキャリア４０２ａ、４０４ａ、および４０６ａは、互いに隣接している。コンポーネントキャリア４０２ａ、４０４ａ、および４０６ａの各々は、２０ＭＨｚまでの帯域幅を有する。全システム帯域幅は、５つのＣＣをサポートするとき、最大で１００ＭＨｚまでである。図４Ｂは、非連続的なキャリアアグリゲーションの例を示す。Ｋ個のコンポーネントキャリアが利用可能であり、互いに離れてい得る。図４Ｂに示されるように、コンポーネントキャリア４０２ｂ、４０４ｂ、および４０６ｂは、互いに隣接せず、非連続的である。各ＣＣは、２０ＭＨｚまでの帯域幅を有し得る。アグリゲートされたキャリアは、プライマリサービングセル（ＰＳＣまたはＳＣｅｌｌ）にサービス提供する、プライマリコンポーネントキャリア（ＰＣＣ）を含み得る。プライマリサービングセルは、ＰＣｅｌｌと称され得る。アグリゲートされたキャリアは、各々個別のセカンダリサービングセル（ＳＳＣまたはＳＣｅｌｌ）にサービス提供する、多数のセカンダリコンポーネントキャリア（ＳＣＣ）を含み得る。
【００３９】
本開示の１つまたは複数の態様に従って、免許支援アクセス（ＬＡＡ）ネットワークにおける時分割多重および無免許周波数再利用を実行するｅＮＢデバイスのための方法および装置が提供されることがある。少なくとも１つの実施形態では、無免許帯域におけるＬＴＥ動作は、ＷｉＦｉと比較して、有意なより良いカバレッジおよびより高いスペクトル効率を提示し得る一方、コアネットワークにおける免許および無免許帯域にわたるデータのシームレスフローを可能にする。一例では、ユーザの視点から、ＬＡＡは、免許アンカーキャリアを通じて高い信頼性およびロバストなモビリティを持つ、免許帯域および無免許帯域両方のシームレスな使用、より高いデータレート、強化されたブロードバンド体験（enhanced broadband experience）を提供し得る。しかしながら、ＬＡＡについて考慮すべきことは、ＬＡＡが「フェア」そして「フレンドリー」ベースで、ＷｉＦｉのような現在のアクセス技術と共存することを保証することである。
【００４０】
ＬＴＥは、いくつかの動作モードを提供し得る。無免許スペクトルにおける動作について、ＬＴＥは、前に議論したように、ＬＡＡ（免許支援アクセス）またはＬＴＥ−Ｕ（無免許帯域におけるＬＴＥ）と称され得る。このような無免許スペクトルは、２．４ＧＨＡ  ＩＳＭ（産業科学医療用（Industrial, Scientific and Medical））帯域および５ＧＨｚ  Ｕ−ＮＩＩ（国家情報社会基盤（Unlicensed National Information Infrastructure））帯域中で使用される８０２．１１（ＷｉＦｉ）、８０２．１５．１（Ｂｌｕｔｏｏｔｈ）、および８０２．１５．４（ＺｉｇＢｅｅ）のための無免許または「免許免除（license-exempt）」無線帯域を含み得る。ＬＡＡは最初に、ＬＴＥキャリアアグリゲーションおよび補足ダウンリンク（ＳＤＬ）プロトコルをレバレッジすることによって無免許帯域におけるデータオフロードを可能にし得る。たとえば、ＬＡＡは、現行の免許スペクトルサービスプロバイダ（従来のＭＮＯ）による使用のための補足ダウンリンク（ＳＤＬ）モードを提供し得る。ＳＤＬは、ダウンリンク容量オフロードのために使用され得る。別のモードでは、キャリアアグリゲーション（ＣＡ）は、従来の免許スペクトルサービスプロバイダ（従来のＭＮＯ）によって使用され得る。ＣＡモードは、ダウンリンクおよびアップリンク容量オフロードのために使用され得る。別のモードでは、スタンドアローン（ＳＡ）モードと呼ばれる、無免許スペクトルがサービスプロバイダによって使用され得る。ＳＡモードは、会場（たとえば、スポーツスタジアム）オペレータまたはモバイルバーチャルネットワークオペレータ（ＭＶＮＯ）によって使用され得る。ＳＡモードは、会場内アクセス（in-venue access）のためあるいは非従来的なワイヤレスアクセスのために使用され得る、または企業設定において使用され得る。
【００４１】
キャリアアグリゲーション（ＣＡ）モードは、免許スペクトルおよび無免許スペクトルのいずれかまたは両方を使用するＣＡに基づく設計を含み得る。１つの設計では、免許スペクトルは、アンカーまたはプライマリコンポーネントキャリア（ＰＣＣ）として使用され得る。制御データおよび重要なデータは、免許スペクトル上で運ばれ得る。無免許スペクトルは、データのみの送信を提供するデータオフロードのために使用され得る。ダウンリンクおよびアップリンクでは、免許チャネル上でＬＴＥは、制御およびデータの両方を提供し得る。無免許チャネル上でＬＴＥは、データを提供し得る。
【００４２】
無免許スペクトルにおける動作について、デバイスは、リッスンビフォアトーク（ＬＢＴ）のために構成され得る。ＬＢＴは、無免許スペクトルにおけるチャネルを使用する前にクリアチャネルアセスメント（ＣＣＡ）を実行するために、ｅＮＢによって利用されるメカニズムである。一実施形態では、ｅＮＢでのダウンリンク送信機は、１０ミリ秒（ｍｓ）毎にＣＣＡを実行し得る。しかしながら、ＣＣＡを実行するための他の時間期間が使用され、引き続き主題技術の範囲内にあることが理解される。一態様では、ＬＢＴは、固定フレーム期間中にあり、ここで、複数のｅＮＢは、同期される。このような場合では、ダウンリンクチャネル使用ビーコン信号（Ｄ−ＣＵＢＳ）を含むＳ´サブフレームは、複数のｅＮＢについて同じ時刻で生じることになる。代替として、ＬＢＴは、Ｄ−ＣＵＢＳを含むＳ´サブフレームが異なるｅＮＢにわたって同じであり得る、または同じで有り得ないフローティングフレーム期間であることができる。
【００４３】
ＣＣＡは、チャネルリソースをグラブアンドリリンキッシュ（grab-and-relinquish）する送信機のためのメカニズムを提供し得る。ｅＮＢは、ＣＣＡ観測時間の持続時間の間無免許スペクトルにおけるチャネルを観測することができる。チャネルは、観測されたエネルギーレベルが所定のしきい値を上回る場合、占有され利用できないとみなされる。ＣＣＡが失敗するイベントでは、チャネルが占有されるので、ｅＮＢは、拡張されたＣＣＡ（ｅＣＣＡ）チェックを実行することができる。ｅＣＣＡの間、チャネルは、時間のランダム持続時間の間観測されることができる。たとえば、ｅＮＢは、１と「ｑ」との間の数であることができる乱数「Ｎ」を生成することができる。いくつかの実施形態では、「ｑ」は、チャネル占有時間を指示するｅＮＢパラメータである。たとえば、「ｑ」は、４から３２の値であり得る。乱数「Ｎ」は、ｅＣＣＡを完了するためにモニタされる回数を決定付けることができる。各繰り返しの後、「Ｎ」に初期化されたカウンタは、デクリメントされることができる。カウンタが０に到達するとき、ｅＣＣＡは、完了し、ｅＮＢが送信することができる。
【００４４】
固定されたＬＢＴフレーム構成では、２つ以上のｅＮＢは、それらのそれぞれのＣＣＡ期間の結論で同時に特定の無免許チャネルを要求することができる。すなわち、ｅＮＢが同時に同じチャネルで各々送信することになるので、ｅＮＢは、周波数再利用構成中にあると考えられる。同様に、２つ以上のｅＮＢは、固定ＬＢＴフレーム構成であり、それらそれぞれが同じ乱数「Ｎ」を利用するｅＣＣＡを実行する場合、ｅＮＢは、同時に送信することになり、再び周波数再利用構成中になる。代替として、２つ以上のｅＮＢが異なる乱数を利用するｅＣＣＡを実行する場合、より小さい乱数を持つｅＮＢは、最初にｅＣＣＡを完了することになり、他より前にチャネルを主張することになる。この状況では、ｅＮＢは、時分割多重（ＴＤＭ）構成中にあると考えられる。フローティングＬＢＴフレーム構成では、フレームアラインメントは、ランダムであり、それ故、２つ以上のｅＮＢは、結局、周波数再利用構成またはＴＤＭ構成のいずれかになることができる。
【００４５】
図５は、２つのｅＮＢからのダウンリンク（ＤＬ）フレーム構造における例示のＬＢＴを示す。複数のＬＢＴフレームは、１０ｍｓ無線フレームと同一の空間を占め得る。１つのＬＢＴフレームは、続いて１つのＳ´サブフレームがある９つのダウンリンク（ＤＬ）サブフレームを含み得る。ＤＬサブフレームは、データ送信のために使用され得る。Ｓ´サブフレームは、ＣＣＡ、ｅＣＣＡ、またはチャネル使用ビーコン信号（ＣＵＢＳ）のために使用され得る。
【００４６】
ＣＣＡの間の、ノードで検出される、受信電力が特定のしきい値より低いままでいる場合、ＣＣＡは、成功し得る。ＣＣＡがノードで成功する場合、その後、ノードは、次のＳ´サブフレームの開始まで媒体を「グラブアンドホールド」し得る。つまり、ノードは、フレームの長さのような、特定の時間期間の間にデータを送信するために無免許スペクトルを利用し得る。ノードは、Ｓ´サブフレームの残りのシンボルのためにＣＵＢＳを送信し得る。いくつかの態様では、ＣＵＢＳは、Ｓ´サブフレームの後方でＣＣＡを実行する他のノードが媒体が占有されることを知覚することを保証することができる。この点で、ＣＵＢの送信は、近隣にある他のＵＥの送信信号を効果的にブロックし得る。ノードは、その後、必要とされるまで（最大９サブフレームについて）進んで次の（たとえば、０番目の）サブフレームからデータを送信し得る。
【００４７】
ｅＮＢ１およびｅＮＢ２からの両方のダウンリンクフレームでは、Ｓ´サブフレームは、サブフレーム９として割り振られる。ｅＮＢが固定ＬＢＴ構成中にあるので、ｅＮＢ１およびｅＮＢ２の両方は、同時にＣＣＡを実行し、同じ時間にＣＵＢＳを各々送信することができる。したがって、ｅＮＢ１およびｅＮＢ２は、１つまたは複数のＵＥにデータを送信するために無免許チャネルの同時の制御を取ることができる。上で示されるように、構成は、「周波数再利用構成」と称される。周波数再利用構成は、ＵＥが単一のｅＮＢの範囲内にあるとき同時に動作することができる。しかしながら、ＵＥが複数のｅＮＢ（たとえば、ｅＮＢ１およびｅＮＢ２）の範囲内にあるとき、周波数再利用構成は、ｅＮＢ２からのダウンリンク信号がｅＮＢ１からのダウンリンク信号と干渉するので、低下した性能をもたらし得る。
【００４８】
図６は、免許支援アクセス（ＬＡＡ）をインプリメントする例示のシステム６００を示す。システム６００は、ｅＮＢ１ ６１０ａおよびｅＮＢ２ ６１０ｂを含む。各ｅＮＢ１ ６１０ａおよび６１０ｂは、プライマリコンポーネントキャリア（ＰＣＣ）およびセカンダリコンポーネントキャリア（ＳＣＣ）を利用するキャリアアグリゲーションを実行するように構成されることができる。たとえば、ｅＮＢ１ ６１０ａは、ＰＣＣ６２０ａおよびＳＣＣ６３０ａを含むことができる。同様に、ｅＮＢ２ ６１０ｂは、ＰＣＣ６２０ｂおよびＳＣＣ６３０ｂを含むことができる。ＬＡＡシステムでは、ＰＣＣは、免許ＬＴＥスペクトルであり、それは、１つまたは複数のダウンリンクチャネルおよびアップリンクチャネルを介してＵＥとの両方向通信を含むことができる。ＳＣＣは、帯域幅を増大させるために、ｅＮＢによって利用される無免許スペクトルであることができる。ｅＮＢは、以上で議論するようにＣＣＡおよび／またはｅＣＣＡを成功裏に実行することができた後、無免許チャネルを使用して送信することができる。
【００４９】
システム６００では、ＵＥ１ ６４０ａは、たとえば、ｅＮＢ１ ６１０ａからの信号強度がより強いので、ｅＮＢ１ ６１０ａによってサービスされる。同様に、ＵＥ２ ６４０ｂは、ＵＥ２ ６４０ｂに関連してｅＮＢ２ ６１０ｂからの信号強度がより強いので、ｅＢＮ２ ６１０ｂによってサービスされる。いくつかの実例では、ｅＮＢ１ ６１０ａおよびｅＮＢ２ ６１０ｂは、それらの対応するＵＥの各々に、ＬＢＴを同時に実行し、同時に且つ（それらそれぞれのＳＣＣを介して）同じ周波数で送信を開始することができる。そのようなアプローチでは、１つのｅＢＮは、「周波数再利用構成」中にあると言われる。その結果として、ＵＥ１ ６４０ａがｅＮＢ２ ６１０ｂのエネルギー範囲内にいる境界ＵＥである場合、ＵＥ１ ６４０ａは、ｅＮＢ２ ６１０ｂから（点線で表される）ＳＣＣ上の干渉を受信し得る。同様に、ＵＥ２ ６４０ｂがｅＮＢ１ ６１０ａのエネルギー範囲内にいる境界ＵＥである場合、ＵＥ２ ６４０ｂは、その対応するＳＣＣ上でｅＮＢ１ ６１０ａからの干渉を受信し得る。
【００５０】
周波数再利用構成では、ＵＥ１ ６４０ａおよびＵＥ２ ６４０ｂは、同様の信号強度を有するｅＮＢ１ ６１０ａおよびｅＮＢ２ ６１０ｂからのＳＣＣ信号を受信することができる。この干渉は、サービングｅＮＢに送信されたアップリンク否定応答（ＮＡＣＫ）を増大させることをもたらすので、ＵＥのサイクリック冗長チェック（ＣＲＣ）失敗レートが、増大することが生じ得る。いくつかのインプリメントでは、各ＵＥは、容認可能なレベルより下である、そのサービングｅＮＢにチャネル品質インジケータ（ＣＱＩ）を報告する。結果として、サービングｅＮＢは、ＳＣＣ上でダウンリンクデータレートを減少させることによって応答し得る。ｅＮＢによるダウンリンクデータレートの減少は、ＬＢＴ衝突が低頻度であり、後続のサブフレームで必ずしも生じないので、時期尚早であり得る。
【００５１】
一実施形態では、ｅＮＢ１ ６１０ａおよびｅＮＢ２ ６１０ｂのようなｅＮＢは、ＣＱＩ劣化イベントを検出するために、受信したＣＱＩ測定値をモニタすることによってＬＡＡシステムまたはネットワークにおけるダウンリンクデータレートをインテリジェントに制御することができる。ｅＮＢは、ＣＱＩ劣化イベントが所定の劣化基準を満たすことができない場合、ダウンリンクデータレートを維持することができる。たとえば、ＣＱＩ劣化イベントは、所定のしきい値より下である、ＵＥからの１つまたは複数のＣＱＩ測定値を受信することを含み得る。いくつかの実施形態では、所定のしきい値は、たとえば、ネットワークオペレータまたは管理者によって構成される、ネットワークパラメータを含むことができる。代替として、所定のしきい値は、前のＣＱＩ報告に基づいて自動的に導出された値であり得る。つまり、ｅＮＢは、その１つまたは複数のＵＥの各々から受信した前のＣＱＩ測定値のフィルタされた平均値を維持することができる。つまり、個別のフィルタされた平均値は、個々のＵＥのために維持されることができる。いくつかの実施形態では、平均値は、特定の時間フレーム上に基づいて計算され、静的な値として記憶され得る。代替として、平均値は、現在のネットワーク状態に基づいて連続的に計算／更新され得る。ｅＮＢがＣＱＩ劣化しきい値（つまり劣化イベント）より下のＣＱＩ測定値を受信する場合、その後、ダウンリンクデータレートが劣化基準に基づいて調整されるべきかどうかを決定する。一例では、劣化基準は、最大時間期間を含むことができる。つまり、ＣＱＩ測定値が最大時間期間の満了前に即座に回復する突然の低下からなる場合、ｅＮＢは、劣化基準を満たさないと決定し、ダウンリンクレデータレートを維持することができる。代替として、ＣＱＩ報告が最大時間期間を超える時間の間所定のしきい値を常に下回る場合、ｅＮＢは、ＵＥへのダウンリンクデータレートが低減されるべきであると決定することができる。いくつかの態様では、ＵＥは、ＵＥが干渉を経験しているというインジケーションをｅＮＢに提供し、ｅＮＢは、ＵＥからのこのインジケーションを受信することに基づいて、ＣＱＩ劣化イベントを検出するにもかかわらず、ダウンリンクデータレートを維持し得る。
【００５２】
別の態様では、ＣＱＩ劣化イベントは、平均ＣＱＩ値において減少傾向であることを含むことができる。たとえば、ｅＮＢは、１つまたは複数のＬＢＴフレームを含む時間ウィンドウにわたるＣＱＩ値のフィルタされた平均値を計算することができる。この例示では、劣化基準は、最小ＣＱいしきい値にふさわしくないで減少する平均ＣＱＩを含み得る。新規のＣＱＩ測定値が受信されると、それらは、ランニング平均値を含み、平均値は、しきい値と比較される。ランニング平均値がしきい値にふさわしくないで減少する場合、ｅＮＢは、劣化基準が満たされ、ダウンリンクデータレートを低減することによって応答すると決定することができる。代替として、ｅＮＢは、近隣ｅＮＢとの周波数再利用構成を避けるために異なるチャネル（つまり異なる周波数）を選択し、ＬＢＴフレーム衝突は、現実的に意味のないものとなる。
【００５３】
いくつかの例示では、周波数再利用構成の一部であるｅＮＢはまた、ＵＥから１つまたは複数のＮＡＣＫを受信し得る。ＮＡＣＫは、ダウンリンクデータレートを減少させるブロック誤りレート（ＢＬＥＲ）に影響を及ぼすことができる。本技術のさらなる態様では、ｅＮＢは、１つまたは複数のＮＡＣＫが後続のＣＱＩ測定に関連付けられると決定し得る。ｅＮＢはさらに、１つまたは複数のＮＡＣＫがディスカウントされると決定し、ダウンリンクデータレートを維持するためにＮＡＣＫ無しでＢＬＥＲを計算し得る。ＮＡＣＫは、１つまたは複数のＬＢＴにおいて、またはＵＥにデータを送信する１つまた複数の後続のフレームにおいて受信されることができる。これらの技術の代替または追加として、ｅＮＢはまた、ダウンリンクデータレートを維持するために、フローティングターゲットＢＬＥＲを採用し得る。たとえば、ｅＮＢは、ＬＢＴフレーム衝突を検出し、デフォルト値からより高い設定にそのアウターループターゲットＢＬＥＲ（outer loop target BLER）を増加させることができる。いくつかの実施形態では、デフォルト／ターゲットＢＬＥＲレートは、１０％送信ブロックＣＲＣ失敗レート（fail rate）に設定され、増加されたＢＬＥＲレートは、３０％送信ブロックＣＲＣ失敗レートに設定されることができる。ＬＢＴ衝突もはや存在しないとｅＮＢが決定することき、それは、デフォルト値、たとえば１０％にＢＬＥＲレートを戻すことができる。これらの値は、例として提供され、本技術を限定することを意味しない。
【００５４】
図６に戻って、ｅＮＢ１ ６１０ａおよびｅＮＢ２ ６１０ｂはまた、Ｘ２インターフェースにわたって互いに通信し得る。いくつかの実施形態では、ｅＮＢ１ ６１０ａは、ｅＮＢ２ ６１０ｂにリッスンビフォアトーク（ＬＢＴ）フレームスケジュールを送信し得る。ＬＢＴフレームスケジュールの受信時にｅＮＢ２ ６１０ｂは、ローカルＬＢＴフレームスケジュールと衝突するか否かを決定することができる。衝突する場合、ｅＮＢ２ ６１０ｂは、周波数再利用構成中にあると決定し、ダウンリンクデータレートを制御するために本明細書に記載された技法を利用することができる。代替として、ｅＮＢ２ ６１０ｂは、衝突を避けるためにそれ自身のＬＢＴフレームスケジュールを修正し、ｅＮＢ１ ６１０ａでチャネルのための時分割多重（ＴＤＭ）をインプリメントすることができる。以上で説明されるように、２つ以上のｅＮＢからのＬＢＴフレームが同期しない場合、ｅＮＢは、ＴＤＭ構成中にあり、ダウンリンク信号は、互いに干渉しない。
【００５５】
一実施形態では、ＴＤＭ構成は、ｅＮＢにおいて、ＣＣＡを実行するための乱数を生成することによってインプリメントされることができる。乱数は、近隣ｅＮＢと衝突しないＣＣＡを実行する時間（たとえば、１つまたは複数の近隣ｅＮＢとの衝突を低減するまたは防止する時間）を決定するために使用されることができる。いくつかの実施形態では、ｅＮＢは、１つまたは複数の他のｅＮＢによって決定された１つまたは複数の他の乱数と連携して乱数を決定し得る。たとえば、ｅＮＢ１およびｅＮＢ２は、両方、それら各々が同じ結果を生じるような同じシードおよび同じ乱数生成器を利用することができる。乱数が生成された後、ｅＮＢ１は、オフセットを使用して乱数を修正することができる。たとえば、ｅＮＢ１は、結果値がｅＮＢ２によって生成された値より大きくなるような、オフセット値を乱数に加えることができる。この例では、ｅＮＢ２は、ｅＮＢ１より前にＣＣＡが完了することになり、ｅＮＢがＴＤＭ構成中であるようなチャネルを要求することができることになる。後続のサブフレームでは、ｅＮＢ１は、ｅＮＢ２によって生成された値より小さくなる値をもたらすために乱数からオフセット値（たとえば、同じオフセット値または異なるオフセット値）を引くことができる。この場合、ｅＮＢ１は、ｅＮＢ２より前にＣＣＡが完了することになり、チャネルを要求することができるようになる。したがって、ｅＮＢは、ＴＤＭ構成中にあることを保証し、時間にわたって等しくチャネルをシェアすることができる。ｅＮＢはまた、乱数生成の目的のためにハンドシェイクすることと、ｅＮＢが乱数にオフセットを加えるまたは乱数からオフセットを引くことになると決定することとを実行するためにＸ２インターフェースを利用することができる。代替として、乱数を決定するためのプロトコルは、ネットワークオペレータによって事前プログラムされるまたは構成されることができる。
【００５６】
別の実施形態では、ＣＣＡを実行するための乱数を生成するためのシードは、ｅＮＢに記憶される１つまたは複数の数のセットから選択されることができる。ｅＮＢ上に記憶された数のセットは、衝突しないように生成されることができる。つまり、各数のセットは、あるセットに表わされる数が別のセットに表わされることはない一意なものであることができる。数のセットの選択は、ｅＮＢに関連付けられる一意の識別子に基づくことができる。たとえば、選択は、同じ数のセットが複数のｅＮＢのために使用され、異なる乱数をもたらすことができるような、セルＩＤに基づくことができる。代替として、各ｅＮＢは、数の選択がインデックスに基づくが、一意でない複数の数のセットを記憶されていることができる。この場合では、乱数は、一意の数選択をもたらすインデックスを利用することによってセットのうちの１つから選択されることができる。いくつかの態様では、ｅＮＢは、乱数を識別し、複数のｅＮＢによる乱数生成の連携を可能にするために別のｅＮＢと（たとえば、ＭＭＥのようなネットワークを介してまたは直接的に）通信し得る。
【００５７】
いくつかの態様では、複数のｅＮＢ（たとえば、ｅＮＢ１およびｅＮＢ２）は、ＣＣＡを実行することに関連付けられた乱数生成のための以上で説明した技法を使用するにもかかわらずまだ衝突し得る。この場合、ｅＮＢは、ＣＱＩ劣化イベントを検出し、図６に関連して以上で説明したように、１つまたは複数の基準が満たされるとき、ＣＱＩ劣化イベントを検出するにもかかわらずダウンリンクデータレートを維持し得る。いくつかの態様では、ｅＮＢは、ＵＥから、ＵＥが干渉を受けているというインジケーションを受信し、ＵＥが干渉を受けているというインジケーションに基づいてダウンリンクレートを維持し得る。このような方法で、ｅＮＢは、一時的な干渉条件をもたらす衝突のためにダウンリンクデータレートを減少させることと比較するとネットワークスループットを増加させ得る。
【００５８】
図７Ａは、免許支援アクセス（ＬＡＡ）システム７００のさらなる例を例示する。システム７００では、ｅＮＢ７１０ａは、ＵＥ７２０ａに関連付けられ、ｅＮＢ７１０ｂは、ＵＥ７２０ｂに関連付けられる。ｅＮＢ７１０ａおよびｅＮＢ７１０ｂの各々は、それぞれのｅＮＢの周りの円周によって表わされるカバレージエリアを有する。カバレージエリアは、ｅＮＢ７１０ａおよびｅＮＢ７１０ｂそれぞれについて円周Ｒ７１５ａおよび７１５ｂの半径に等しい距離に広がることができる。システム７００では、ｅＮＢ７１０ａおよびｅＮＢ７１０ｂは、カバレージエリアがあるオーバーラップを含む近隣ｅＮＢである。つまり、各ｅＮＢのエネルギー検出範囲は、ある共通の地理的なエリアをカバーする。共通のカバレージエリアは、各ｅＮＢの周りに２つの円周の間のオーバーラップによって表わされる。円周が表現の容易さのために使用されることに注意し、特定のｅＮＢのためのカバレージエリアは、均一である必要はなく、多数の外的要因によって影響を受けることを、当業者は認識するであろう。
【００５９】
システム７００では、ＵＥ７２０ａおよびＵＥ７２０ｂは、中心ＵＥに分類される。中心ＵＥは、単一ｅＮＢのカバレージエリア内にあり、近隣ｅＮＢの干渉の範囲外にあるＵＥである。たとえば、ＵＥ７２０ａは、ｅＮＢ７１０ａによってサービスされ、ｅＮＢ７１０ｂのエネルギー検出範囲の外側に物理的に位置する。同様に、ＵＥ７２０ｂは、ｅＮＢ７１０ｂによってサービスされ、ｅＮＢ７１０ａのエネルギー検出範囲の外側にいる。この例では、ｅＮＢ７１０ａおよびｅＮＢ７１０ｂは、周波数再利用構成におけるＬＡＡをインプリメントすることができ、ＵＥが近隣ｅＮＢによって干渉されないので、ダウンリンクスピードにおけるいかなる劣化もないだろう。
【００６０】
図７ｂは、境界ＵＥを含むＬＡＡシステム７５０の例を例示する。システム７５０では、ｅＮＢ７１０ｃは、ＵＥ７２０ｃに関連付けられ、ｅＮＢ７１０ｄは、ＵＥ７２０ｄに関連付けられる。システム７００と同様に、各ｅＮＢは、それぞれのｅＮＢの周りに描かれる円領域によって表わされるカバレージエリアを有する。システム７５０では、ＵＥの各々は、近隣ＵＥのエネルギー検出範囲内にある地理的エリアに位置する。したがって、ＵＥ７２０ｃおよびＵＥ７２０ｄは、境界ＵＥと呼ばれる。たとえば、ＵＥ７２０ｃは、点線によって表わされる、近隣ｅＮＢ７１０ｂからの干渉を受信することができる。同様にＵＥ７２０ｄは、点線によって表わされる近隣ｅＮＢ７１０ｃからの干渉を受信することができる。境界ＵＥを含むＬＡＡシステムでは、周波数再利用構成は、より低いダウンリンクデータに起因する低下した性能をもたらし得る。
【００６１】
図８は、２つのｅＮＢに対応する同時のダウンリンクフレームの例を例示する。同時のダウンリンクフレームは、免許支援アクセスネットワークにおける時分割多重（ＴＤＭ）をインプリメントするために割り振られるサブフレームおよび／またはリソースブロックを含むことができる。ダウンリンクフレーム８３０は、ｅＮＢ８１０に対応し、ｅＮＢ８１０に関連付けられた異なるＵＥにデータを送信するために割り振られ得る１０個のサブフレームを含む。同様にダウンリンクフレーム８４０は、ｅＮＢ８２０に対応し、ｅＮＢ８２０に関連付けられた異なるＵＥにデータを送信するために割り振られることができる１０個のサブフレームを含む。
【００６２】
一実施形態では、ｅＮＢ８２０は、ｅＮＢ８１０から来たるサブフレームのためのスケジューリング情報を受信することができる。スケジューリング情報は、ｅＮＢ８１０に関連付けられる境界ＵＥと中心ＥＵに関する情報を含むことができる。スケジューリング情報はまた、ｅＮＢ８１０に関連付けられたＵＥの各々のためのサブフレームまたはリソースブロック割り振りを含むことができる。スケジューリング情報の受信時に、ｅＮＢ８２０は、ｅＮＢ８１０からのスケジュールと衝突しないような、対応するフレーム、サブフレーム、またはリソースブロックを割り振ることができる。たとえば、ｅＮＢ８１０からのスケジューリング情報は、サブフレーム０がｅＮＢ８１０に関連付けられた中心ＵＥに割り振られることを示すことができる。したがって、ｅＮＢ８２０は、それ自身のＵＥにその対応するサブフレーム０を割り振る。サブフレーム０の間、２つのｅＮＢは、データを受信するＵＥが近隣ｅＮＢのエネルギー検出範囲の外側にある中ＵＥのみであるので、如何なるサービス途絶も引き起こさないことになるが、周波数再利用構成中にあることになる。
【００６３】
代替として、ｅＮＢ８１０からのスケジューリング情報は、サブフレーム１のような、特定のサブフレームが境界ＵＥに割り振られることを示すことができる。それに応じて、ｅＮＢ８２０は、ｅＮＢ８１０がその境界ＵＥに送るダウンリンク信号との干渉を避けるために、その対応するサブフレーム１が送信に利用すべきでないと決定することができる。つまり、ｅＮＢ８１０に関連付けられた境界ＵＥは、ｅＮＢ８２０のエネルギー検出範囲内にあり、ｅＮＢ８２０がサブフレーム１の間に同じ周波数で送信する場合、低下した性能を経験することになるだろう。追加で、ｅＮＢ８２０は、サブフレーム２が利用可能であるとスケジューリング情報から決定し、サブフレーム２の間にそれ自身の境界ＵＥへの送信をスケジュールすることができる。ｅＮＢ８２０からのスケジューリング情報は、両方のｅＮＢが如何なる衝突もせずにリソースを割り振ることを確認するためにｅＮＢ８１０に送られることができる。
【００６４】
別の実施形態では、スケジューリング情報は、特定のサブフレーム内のリソースブロック（ＲＢ）を割り振るために使用されることができる。たとえば、ｅＮＢ８１０からのスケジューリング情報は、サブフレーム５のような、特定のサブフレーム内のＲＢ割り振りのブレークダウンを提供し得る。この例では、ｅＮＢ８１０は、サブフレーム５のＲＢ０中に中心ＵＥへの、およびＲＢ１中に境界ＵＥへのスケジュールされた送信を有する。個のスケジューリング情報に基づいて、ｅＮＢ８２０は、対応するサブフレームのＲＢ０についてそれ自身の中心ＵＥをスケジュールすることができる。追加で、ｅＮＢ８２０は、ＲＢ１がｅＮＢ８１０に関連付けられた境界ＵＥとの干渉を避けるために送信に使用すべきでないと決定することができる。ｅＮＢ８２０に関連付けられた境界ＵＥは、サブフレーム５のＲＢ２のような、異なるＲＢ中に割り振られることができる。従って、それらの対応するネットワーク条件（つまり、境界ＵＥ、中心ＵＥ、等）を共有することにより、ｅＮＢは、フレーム、サブフレーム、リソースブロックのような送信リソースをインテリジェントに割り振ることができる。この割り振りは、ＵＥが、干渉の影響を受けない中心ＵＥのために周波数再利用を構成すること、および周波数再利用構成中の干渉によって影響を受ける境界ＵＥのためにＴＤＭを構成することを可能にする。
【００６５】
図９は、ＬＡＡネットワークにおけるダウンリンクデータレートを制御するための方法論の実施形態を例示する。方法は、ｅＮＢ、フェムトアクセスポイント、または同様のもののようなワイヤレスエンティティによって実行され得る。方法９００は、９０２において、基地局で受信した複数のチャネル品質インジケータ（ＣＱＩ）測定値に基づいてＣＱＩ劣化イベントを検出することを含み得る。方法は、９０４において、ＣＱＩ劣化イベントが所定の劣化基準を満たすことができない場合、ダウンリンクデータレートを維持し得る。
【００６６】
図１０は、ＬＡＡネットワークにおけるダウンリンクデータレートを制御するための方法論の他の実施形態を例示する。方法は、ｅＮＢ、フェムトアクセスポイント、または同様のもののようなワイヤレスエンティティによって実行され得る。方法１０００は、１００２において、基地局で受信した複数のチャネル品質インジケータ（ＣＱＩ）測定値に基づいてＣＱＩ劣化イベントを検出することを含み得る。方法は、１００４において、複数の否定応答（ＮＡＣＫ）を受信することを含み得る。方法は、１００６において、複数のＮＡＣＫをディスカウントすることによってブロック誤りレート（ＢＬＥＲ）を計算し得る。
【００６７】
図１１は、ＬＡＡネットワークにおけるダウンリンクデータレートを制御するための方法論の他の実施形態を例示する。方法は、ｅＮＢ、フェムトアクセスポイント、または同様のもののようなワイヤレスエンティティによって実行され得る。方法１１００は、１１０２において、基地局で受信した複数のチャネル品質インジケータ（ＣＱＩ）測定値に基づいてＣＱＩ劣化イベントを検出することを含み得る。方法は、１１０４において、第１の値から第２の値にターゲットブロック誤りレート（ＢＬＥＲ）を増加させることを含み得る。
【００６８】
図１２は、ＬＡＡネットワークにおけるダウンリンクデータレートを制御するための方法論の他の実施形態を例示する。方法は、ｅＮＢ、フェムトアクセスポイント、または同様のもののようなワイヤレスエンティティによって実行され得る。方法１２００は、１２０２において、第１の基地局において、第２の基地局からリッスンビフォアトーク（ＬＢＴ）フレームスケジュールを受信することを含み得る。方法は、１２０４において、ＬＢＴフレームスケジュールがローカルＬＢＴフレームスケジュールと衝突すると決定することを含み得る。
【００６９】
図１３は、免許支援アクセス（ＬＡＡ）ネットワークにおける時分割多重（ＴＤＭ）のための方法論の実施形態を例示する。方法は、ｅＮＢ、フェムトアクセスポイント、または同様のもののようなワイヤレスエンティティによって実行され得る。方法１３００は、１３０２において、ＬＡＡネットワークにおいてクリアチャネルアセスメント（ＣＣＡ）を実行する際に使用するための乱数を生成することを含み得る。方法は、１３０４において、第２の基地局と衝突しないＣＣＡを実行する（たとえば、第２の基地局との衝突を低減するまたは防止する）時間を決定するために乱数を利用することを含み得る。
【００７０】
図１４は、免許支援アクセス（ＬＡＡ）ネットワークにおける時分割多重（ＴＤＭ）のための方法論の他の実施形態を例示する。方法は、ｅＮＢ、フェムトアクセスポイント、または同様のもののようなワイヤレスエンティティによって実行され得る。方法１４００は、１４０２において、ＬＡＡネットワークにおいてクリアチャネルアセスメント（ＣＣＡ）を実行する際に使用するための乱数を生成することを含み得る。方法は、１４０４において、第１のフレームについて乱数にオフセット値を加えることを含み得る。方法は、１４０６において、第２のフレームについて乱数からオフセット値を引くことを含み得る。
【００７１】
図１５は、免許支援アクセス（ＬＡＡ）ネットワークにおけるサブフレームを割り振るための方法論の実施形態を例示する。方法は、ｅＮＢ、フェムトアクセスポイント、または同様のもののようなワイヤレスエンティティによって実行され得る。方法１５００は、１５０２において、第１の基地局において、第２の基地局から来たるサブフレームのためのスケジューリング情報を受信することを含み得る。方法は、１５０４において、スケジューリング情報に基づいて対応するサブフレームを割り振ることを含み得る。
【００７２】
図１６は、免許支援アクセス（ＬＡＡ）ネットワークにおけるサブフレームを割り振るための他の方法論の実施形態を例示する。方法は、ｅＮＢ、フェムトアクセスポイント、または同様のもののようなワイヤレスエンティティによって実行され得る。方法１６００は、１６０２において、第１の基地局において、第２の基地局から来たるサブフレームのためのスケジューリング情報を受信することを含み得る。方法は、１６０４において、スケジューリング情報に基づいて、来たるサブフレームにおけるリソースブロックの第１のグループが第２の基地局に関連付けられた境界ＵＥの第２のセットに割り振られると決定することを含み得る。方法は、１６０６において、第１の基地局に関連付けられた境界ＵＥの第１のセットに、対応するサブフレームにおけるリソースブロックの第２のグループを割り振ることを含み得る。
【００７３】
図１７は、免許支援アクセス（ＬＡＡ）ネットワークにおけるサブフレームを割り振るための他の方法論の実施形態を例示する。方法は、ｅＮＢ、フェムトアクセスポイント、または同様のもののようなワイヤレスエンティティによって実行され得る。方法１７００は、１７０２において、第１の基地局において、第２の基地局から来たるサブフレームのためのスケジューリング情報を受信することを含み得る。方法は、１７０４において、スケジューリング情報に基づいて、来たるサブフレームが第２の基地局に関連付けられた境界ＵＥの第２のセットに割り振られると決定することを含み得る。方法は、１７０６において、第１の基地局に関連付けられた境界ＵＥの第１のセットに、後続のサブフレームを割り振ることを含み得る。
【００７４】
図１８は、免許支援アクセス（ＬＡＡ）ネットワークにおけるサブフレームを割り振るための他の方法論の実施形態を例示する。方法は、ｅＮＢ、フェムトアクセスポイント、または同様のもののようなワイヤレスエンティティによって実行され得る。方法１８００は、１８０２において、第１の基地局において、第２の基地局から来たるサブフレームのためのスケジューリング情報を受信することを含み得る。方法は、１８０４において、スケジューリング情報に基づいて、来たるサブフレームにおけるリソースブロックの第１のグループが第２の基地局に関連付けられた中心ＵＥの第２のセットに割り振られると決定することを含み得る。方法は、１８０６において、第１の基地局に関連付けられた中心ＵＥの第１のセットに、対応するサブフレームにおけるリソースブロックの第１のグループを割り振ることを含み得る。
【００７５】
図１９は、免許支援アクセス（ＬＡＡ）ネットワークにおけるサブフレームを割り振るための他の方法論の実施形態を例示する。方法は、ｅＮＢ、フェムトアクセスポイント、または同様のもののようなワイヤレスエンティティによって実行され得る。方法１９００は、１９０２において、第１の基地局において、第２の基地局から来たるサブフレームのためのスケジューリング情報を受信することを含み得る。方法は、１９０４において、スケジューリング情報に基づいて、来たるサブフレームが第２の基地局に関連付けられた中心ＵＥの第２のセットに割り振られると決定することを含み得る。方法は、１９０６において、第１の基地局に関連付けられた境界ＵＥの第１のセットに、対応するサブフレームを割り振ることを含み得る。
【００７６】
図２０を参照して、ＬＡＡネットワークにおけるダウンリンクデータレートを制御するための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２０００が提供される。装置２０００は、プロセッサ、ソフトウェア、またはこれらの組み合わせ（例えば、ファームウェア）によって実現される機能を表し得る機能ブロックを含み得る。
【００７７】
例示されるように、一実施形態では、装置２０００は、受信されたチャネル品質インジケータ（ＣＱＩ）測定値に基づいてＣＱＩ劣化イベントを検出するための電子コンポーネントまたはモジュール２００２を含み得る。装置２０００は、２００４において、ＣＱＩ劣化イベントが所定の劣化基準を満たすことができない場合、ダウンリンクデータレートを維持するための電子コンポーネントまたはモジュール２００４を含み得る。
【００７８】
関連する態様では、装置２０００は、ネットワークエンティティとして構成される装置２０００の場合に、少なくとも１つのプロセッサを有するプロセッサコンポーネント２０１０をオプションとして含み得る。プロセッサ２０１０は、この場合、バス２０１２または同様の通信結合を介してコンポーネント２００２−２００４と動作可能に通信し得る。プロセッサ２０１０は、電子コンポーネント２００２−２００４によって実行される処理または機能の開始およびスケジューリングをもたらし得る。
【００７９】
さらに関連する態様では、装置２０００は、他のネットワークエンティティと通信するためのネットワークインターフェースコンポーネント２０１４を含み得る。装置２０００は、例えば、メモリデバイス／コンポーネント２０１６のような、情報を格納するためのコンポーネントをオプションとして含み得る。コンピュータ可読媒体またはメモリコンポーネント２０１６は、バス２０１２または同様のものを介して、装置２０００の他のコンポーネントに動作可能に結合され得る。メモリコンポーネント２０１６は、コンポーネント２００２−２００４およびそれのサブコンポーネント、あるいはプロセッサ２０１０のアクティビティを実行するためのコンピュータ可読命令およびデータを記憶することに適している。メモリコンポーネント２０１６は、コンポーネント２００２−２００４に関連付けられた機能を実行するための命令を保持し得る。メモリ２０１６の外側にあるように示されているが、コンポーネント２００２−２００４がメモリ２０１６内に存在することができることは理解されるべきである。
【００８０】
図２１を参照して、ＬＡＡネットワークにおけるダウンリンクデータレートを制御するための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２１００が提供される。装置２１００は、プロセッサ、ソフトウェア、またはこれらの組み合わせ（例えば、ファームウェア）によって実現される機能を表し得る機能ブロックを含み得る。
【００８１】
例示されるように、一実施形態では、装置２１００は、受信されたチャネル品質インジケータ（ＣＱＩ）測定値に基づいてＣＡＩ劣化イベントを検出するための電子コンポーネントまたはモジュール２１０２を含み得る。装置２１００は、複数の否定応答（ＮＡＣＫ）を受信するための電子コンポーネントまたはモジュール２１０４を含み得る。装置２１００は、複数のＮＡＣＫをディスカウントすることによってブロック誤りレート（ＢＬＥＲ）を計算するための電子コンポーネントまたはモジュール２１０６を含み得る。
【００８２】
関連する態様では、装置２１００は、ネットワークエンティティとして構成される装置２１００の場合に、少なくとも１つのプロセッサを有するプロセッサコンポーネント２１１０をオプションとして含み得る。プロセッサ２１１０は、この場合、バス２１１２または同様の通信結合を介してコンポーネント２１０２-２１０６と動作可能に通信し得る。プロセッサ２１１０は、電子コンポーネント２１０２-２１０６によって実行される処理または機能の開始およびスケジューリングをもたらし得る。
【００８３】
さらに関連する態様では、装置２１００は、他のネットワークエンティティと通信するためのネットワークインターフェースコンポーネント２１１４を含み得る。装置２１００は、例えば、メモリデバイス／コンポーネント２１１６のような、情報を格納するためのコンポーネントをオプションとして含み得る。コンピュータ可読媒体またはメモリコンポーネント２１１６は、バス２１１２または同様のものを介して、装置２１００の他のコンポーネントに動作可能に結合され得る。メモリコンポーネント２１１６は、コンポーネント２１０２−２１０６およびそれのサブコンポーネント、あるいはプロセッサ２１１０のアクティビティを実行するためのコンピュータ可読命令およびデータを記憶することに適している。メモリコンポーネント２１１６は、コンポーネント２１０２−２１０６に関連付けられた機能を実行するための命令を保持し得る。メモリ２１１６の外側にあるように示されているが、コンポーネント２１０２−２１０６がメモリ２１１６内に存在することができることは理解されるべきである。
【００８４】
図２２を参照して、ＬＡＡネットワークにおけるダウンリンクデータレートを制御するための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２２００が提供される。装置２２００は、プロセッサ、ソフトウェア、またはこれらの組み合わせ（例えば、ファームウェア）によって実現される機能を表し得る機能ブロックを含み得る。
【００８５】
例示されるように、一実施形態では、装置２２００は、受信されたチャネル品質インジケータ（ＣＱＩ）測定値に基づいてＣＡＩ劣化イベントを検出するための電子コンポーネントまたはモジュール２２０２を含み得る。装置２２００は、第１の値から第２の値にターゲットブロック誤りレート（ＢＬＥＲ）を増加させるための電子コンポーネントまたはモジュール２２０４を含み得る。
【００８６】
関連する態様では、装置２２００は、ネットワークエンティティとして構成される装置２２００の場合に、少なくとも１つのプロセッサを有するプロセッサコンポーネント２２１０をオプションとして含み得る。プロセッサ２２１０は、この場合、バス２２１２または同様の通信結合を介してコンポーネント２２０２−２２０４と動作可能に通信し得る。プロセッサ２２１０は、電子コンポーネント２２０２−２２０４によって実行される処理または機能の開始およびスケジューリングをもたらし得る。
【００８７】
さらに関連する態様では、装置２２００は、他のネットワークエンティティと通信するためのネットワークインターフェースコンポーネント２２１４を含み得る。装置２２００は、例えば、メモリデバイス／コンポーネント２２１６のような、情報を格納するためのコンポーネントをオプションとして含み得る。コンピュータ可読媒体またはメモリコンポーネント２２１６は、バス２２１２または同様のものを介して、装置２２００の他のコンポーネントに動作可能に結合され得る。メモリコンポーネント２２１６は、コンポーネント２２０２−２２０４およびそれのサブコンポーネント、あるいはプロセッサ２２１０のアクティビティを実行するためのコンピュータ可読命令およびデータを記憶することに適している。メモリコンポーネント２２１６は、コンポーネント２２０２−２２０４に関連付けられた機能を実行するための命令を保持し得る。メモリ２２１６の外側にあるように示されているが、コンポーネント２２０２−２２０４がメモリ２２１６内に存在することができることは理解されるべきである。
【００８８】
図２３を参照して、ＬＡＡネットワークにおけるダウンリンクデータレートを制御するための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２３００が提供される。装置２３００は、プロセッサ、ソフトウェア、またはこれらの組み合わせ（例えば、ファームウェア）によって実現される機能を表し得る機能ブロックを含み得る。
【００８９】
例示されるように、一実施形態では、装置２３００は、リッスンビフォアトーク（ＬＢＴ）フレームスケジュールを受信するための電子コンポーネントまたはモジュール２３０２を含み得る。装置２３００は、ＬＢＴフレームスケジュールがローカルＬＢＴフレームスケジュールと衝突すると決定するための電子コンポーネントまたはモジュール２３０４を含み得る。
【００９０】
関連する態様では、装置２３００は、ネットワークエンティティとして構成される装置２３００の場合に、少なくとも１つのプロセッサを有するプロセッサコンポーネント２３１０をオプションとして含み得る。プロセッサ２３１０は、この場合、バス２３１２または同様の通信結合を介してコンポーネント２３０２−２３０４と動作可能に通信し得る。プロセッサ２３１０は、電子コンポーネント２３０２−２３０４によって実行される処理または機能の開始およびスケジューリングをもたらし得る。
【００９１】
さらに関連する態様では、装置２３００は、他のネットワークエンティティと通信するためのネットワークインターフェースコンポーネント２３１４を含み得る。装置２３００は、例えば、メモリデバイス／コンポーネント２３１６のような、情報を格納するためのコンポーネントをオプションとして含み得る。コンピュータ可読媒体またはメモリコンポーネント２３１６は、バス２３１２または同様のものを介して、装置２３００の他のコンポーネントに動作可能に結合され得る。メモリコンポーネント２３１６は、コンポーネント２３０２−２３０４およびそれのサブコンポーネント、あるいはプロセッサ２３１０のアクティビティを実行するためのコンピュータ可読命令およびデータを記憶することに適している。メモリコンポーネント２３１６は、コンポーネント２３０２−２３０４に関連付けられた機能を実行するための命令を保持し得る。メモリ２３１６の外側にあるように示されているが、コンポーネント２３０２−２３０４がメモリ２３１６内に存在することができることは理解されるべきである。
【００９２】
図２４を参照して、免許支援アクセスネットワークにおける時分割多重のための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２４００が提供される。装置２４００は、プロセッサ、ソフトウェア、またはこれらの組み合わせ（例えば、ファームウェア）によって実現される機能を表し得る機能ブロックを含み得る。
【００９３】
例示されるように、一実施形態では、装置２４００は、ＬＡＡネットワークにおけるクリアチャネルアセスメント（ＣＣＡ）を実行する際に使用するための乱数を生成するための電子コンポーネントまたはモジュール２４０２を含み得る。装置２４００は、第２の基地局と衝突しないＣＣＡを実行する時間を決定するために乱数を利用するための電子コンポーネントまたはモジュール２４０４を含み得る。
【００９４】
関連する態様では、装置２４００は、ネットワークエンティティとして構成される装置２４００の場合に、少なくとも１つのプロセッサを有するプロセッサコンポーネント２４１０をオプションとして含み得る。プロセッサ２４１０は、この場合、バス２４１２または同様の通信結合を介してコンポーネント２４０２−２４０４と動作可能に通信し得る。プロセッサ２４１０は、電子コンポーネント２４０２−２４０４によって実行される処理または機能の開始およびスケジューリングをもたらし得る。
【００９５】
さらに関連する態様では、装置２４００は、他のネットワークエンティティと通信するためのネットワークインターフェースコンポーネント２４１４を含み得る。装置２４００は、例えば、メモリデバイス／コンポーネント２４１６のような、情報を格納するためのコンポーネントをオプションとして含み得る。コンピュータ可読媒体またはメモリコンポーネント２４１６は、バス２４１２または同様のものを介して、装置２４００の他のコンポーネントに動作可能に結合され得る。メモリコンポーネント２４１６は、コンポーネント２４０２−２４０４およびそれのサブコンポーネント、あるいはプロセッサ２４１０のアクティビティを実行するためのコンピュータ可読命令およびデータを記憶することに適している。メモリコンポーネント２４１６は、コンポーネント２４０２−２４０４に関連付けられた機能を実行するための命令を保持し得る。メモリ２４１６の外側にあるように示されているが、コンポーネント２４０２−２４０４がメモリ２４１６内に存在することができることは理解されるべきである。
【００９６】
図２５を参照して、免許支援アクセスネットワークにおける時分割多重のための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２５００が提供される。装置２５００は、プロセッサ、ソフトウェア、またはこれらの組み合わせ（例えば、ファームウェア）によって実現される機能を表し得る機能ブロックを含み得る。
【００９７】
例示されるように、一実施形態では、装置２５００は、ＬＡＡネットワークにおけるクリアチャネルアセスメント（ＣＣＡ）を実行する際に使用するための乱数を生成するための電子コンポーネントまたはモジュール２５０２を含み得る。装置２５００は、第１のフレームについて乱数にオフセット値を加えるための電子コンポーネントまたはモジュール２５０４を含み得る。装置２５００は、第２のフレームについて乱数からオフセット値を引くための電子コンポーネントまたはモジュール２５０６を含み得る。
【００９８】
関連する態様では、装置２５００は、ネットワークエンティティとして構成される装置２５００の場合に、少なくとも１つのプロセッサを有するプロセッサコンポーネント２５１０をオプションとして含み得る。プロセッサ２５１０は、この場合、バス２５１２または同様の通信結合を介してコンポーネント２５０２−２５０６と動作可能に通信し得る。プロセッサ２５１０は、電子コンポーネント２５０２−２５０６によって実行される処理または機能の開始およびスケジューリングをもたらし得る。
【００９９】
さらに関連する態様では、装置２５００は、他のネットワークエンティティと通信するためのネットワークインターフェースコンポーネント２５１４を含み得る。装置２５００は、例えば、メモリデバイス／コンポーネント２５１６のような、情報を格納するためのコンポーネントをオプションとして含み得る。コンピュータ可読媒体またはメモリコンポーネント２５１６は、バス２５１２または同様のものを介して、装置２５００の他のコンポーネントに動作可能に結合され得る。メモリコンポーネント２５１６は、コンポーネント２５０２−２５０６およびそれのサブコンポーネント、あるいはプロセッサ２５１０のアクティビティを実行するためのコンピュータ可読命令およびデータを記憶することに適している。メモリコンポーネント２５１６は、コンポーネント２５０２−２５０６に関連付けられた機能を実行するための命令を保持し得る。メモリ２５１６の外側にあるように示されているが、コンポーネント２５０２−２５０６がメモリ２５１６内に存在することができることは理解されるべきである。
【０１００】
図２６を参照して、免許支援アクセスネットワークにおけるサブフレームを割り振るための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２６００が提供される。装置２６００は、プロセッサ、ソフトウェア、またはこれらの組み合わせ（例えば、ファームウェア）によって実現される機能を表し得る機能ブロックを含み得る。
【０１０１】
例示されるように、一実施形態では、装置２６００は、第２の基地局から来たるサブフレームのためのスケジューリング情報を受信するための電子コンポーネントまたはモジュール２６０２を含み得る。装置２６００は、スケジューリング情報に基づいて、対応するサブフレームを割り振るための電子コンポーネントまたはモジュール２６０４を含み得る。
【０１０２】
関連する態様では、装置２６００は、ネットワークエンティティとして構成される装置２６００の場合に、少なくとも１つのプロセッサを有するプロセッサコンポーネント２６１０をオプションとして含み得る。プロセッサ２６１０は、この場合、バス２６１２または同様の通信結合を介してコンポーネント２６０２−２６０４と動作可能に通信し得る。プロセッサ２６１０は、電子コンポーネント２６０２−２６０４によって実行される処理または機能の開始およびスケジューリングをもたらし得る。
【０１０３】
さらに関連する態様では、装置２６００は、他のネットワークエンティティと通信するためのネットワークインターフェースコンポーネント２６１４を含み得る。装置２６００は、例えば、メモリデバイス／コンポーネント２６１６のような、情報を格納するためのコンポーネントをオプションとして含み得る。コンピュータ可読媒体またはメモリコンポーネント２６１６は、バス２６１２または同様のものを介して、装置２６００の他のコンポーネントに動作可能に結合され得る。メモリコンポーネント２６１６は、コンポーネント２６０２−２６０４およびそれのサブコンポーネント、あるいはプロセッサ２６１０のアクティビティを実行するためのコンピュータ可読命令およびデータを記憶することに適している。メモリコンポーネント２６１６は、コンポーネント２６０２−２６０４に関連付けられた機能を実行するための命令を保持し得る。メモリ２６１６の外側にあるように示されているが、コンポーネント２６０２−２６０４がメモリ２６１６内に存在することができることは理解されるべきである。
【０１０４】
図２７を参照して、免許支援アクセスネットワークにおけるサブフレームを割り振るための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２７００が提供される。装置２７００は、プロセッサ、ソフトウェア、またはこれらの組み合わせ（例えば、ファームウェア）によって実現される機能を表し得る機能ブロックを含み得る。
【０１０５】
例示されるように、一実施形態では、装置２７００は、第２の基地局から来たるサブフレームのためのスケジューリング情報を受信するための電子コンポーネントまたはモジュール２７０２を含み得る。装置２７００は、来たるサブフレームにおけるリソースブロックの第１のグループが第２の基地局に関連付けられた境界ＵＥの第２のセットに割り振られると決定するための電子コンポーネントまたはモジュール２７０４を含み得る。装置２７００は、境界ＵＥの第１のセットに、対応するサブフレームにおけるリソースブロックの第２のグループを割り振るための電子コンポーネントまたはモジュール２７０６を含み得る。
【０１０６】
関連する態様では、装置２７００は、ネットワークエンティティとして構成される装置２７００の場合に、少なくとも１つのプロセッサを有するプロセッサコンポーネント２７１０をオプションとして含み得る。プロセッサ２７１０は、この場合、バス２７１２または同様の通信結合を介してコンポーネント２７０２−２７０６と動作可能に通信し得る。プロセッサ２７１０は、電子コンポーネント２７０２−２７０６によって実行される処理または機能の開始およびスケジューリングをもたらし得る。
【０１０７】
さらに関連する態様では、装置２７００は、他のネットワークエンティティと通信するためのネットワークインターフェースコンポーネント２７１４を含み得る。装置２７００は、例えば、メモリデバイス／コンポーネント２７１６のような、情報を格納するためのコンポーネントをオプションとして含み得る。コンピュータ可読媒体またはメモリコンポーネント２７１６は、バス２７１２または同様のものを介して、装置２７００の他のコンポーネントに動作可能に結合され得る。メモリコンポーネント２７１６は、コンポーネント２７０２−２７０６およびそれのサブコンポーネント、あるいはプロセッサ２７１０のアクティビティを実行するためのコンピュータ可読命令およびデータを記憶することに適している。メモリコンポーネント２７１６は、コンポーネント２７０２−２７０６に関連付けられた機能を実行するための命令を保持し得る。メモリ２７１６の外側にあるように示されているが、コンポーネント２７０２−２７０６がメモリ２７１６内に存在することができることは理解されるべきである。
【０１０８】
図２８を参照して、免許支援アクセスネットワークにおけるサブフレームを割り振るための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２８００が提供される。装置２８００は、プロセッサ、ソフトウェア、またはこれらの組み合わせ（例えば、ファームウェア）によって実現される機能を表し得る機能ブロックを含み得る。
【０１０９】
例示されるように、一実施形態では、装置２８００は、第２の基地局から来たるサブフレームのためのスケジューリング情報を受信するための電子コンポーネントまたはモジュール２８０２を含み得る。装置２８００は、来たるサブフレームが第２の基地局に関連付けられた境界ＵＥの第２のセットに割り振られると決定するための電子コンポーネントまたはモジュール２８０４を含み得る。装置２８００は、境界ＵＥの第１のセットに、後続のサブフレームを割り振るための電子コンポーネントまたはモジュール２８０６を含み得る。
【０１１０】
関連する態様では、装置２８００は、ネットワークエンティティとして構成される装置２８００の場合に、少なくとも１つのプロセッサを有するプロセッサコンポーネント２８１０をオプションとして含み得る。プロセッサ２８１０は、この場合、バス２８１２または同様の通信結合を介してコンポーネント２８０２−２８０６と動作可能に通信し得る。プロセッサ２８１０は、電子コンポーネント２８０２−２８０６によって実行される処理または機能の開始およびスケジューリングをもたらし得る。
【０１１１】
さらに関連する態様では、装置２８００は、他のネットワークエンティティと通信するためのネットワークインターフェースコンポーネント２８１４を含み得る。装置２８００は、例えば、メモリデバイス／コンポーネント２８１６のような、情報を格納するためのコンポーネントをオプションとして含み得る。コンピュータ可読媒体またはメモリコンポーネント２８１６は、バス２８１２または同様のものを介して、装置２８００の他のコンポーネントに動作可能に結合され得る。メモリコンポーネント２８１６は、コンポーネント２８０２−２８０６およびそれのサブコンポーネント、あるいはプロセッサ２８１０のアクティビティを実行するためのコンピュータ可読命令およびデータを記憶することに適している。メモリコンポーネント２８１６は、コンポーネント２８０２−２８０６に関連付けられた機能を実行するための命令を保持し得る。メモリ２８１６の外側にあるように示されているが、コンポーネント２８０２−２８０６がメモリ２８１６内に存在することができることは理解されるべきである。
【０１１２】
図２９を参照して、免許支援アクセスネットワークにおけるサブフレームを割り振るための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置２９００が提供される。装置２９００は、プロセッサ、ソフトウェア、またはこれらの組み合わせ（例えば、ファームウェア）によって実現される機能を表し得る機能ブロックを含み得る。
【０１１３】
例示されるように、一実施形態では、装置２９００は、第２の基地局から来たるサブフレームのためのスケジューリング情報を受信するための電子コンポーネントまたはモジュール２９０２を含み得る。装置２９００は、来たるサブフレームにおけるリソースブロックの第１のグループが第２の基地局に関連付けられた中心ＵＥの第２のセットに割り振られると決定するための電子コンポーネントまたはモジュール２９０４を含み得る。装置２９００は、中心ＵＥの第１のセットに、対応するサブフレームにおけるリソースブロックの第１のグループを割り振るための電子コンポーネントまたはモジュール２９０６を含み得る。
【０１１４】
関連する態様では、装置２９００は、ネットワークエンティティとして構成される装置２９００の場合に、少なくとも１つのプロセッサを有するプロセッサコンポーネント２９１０をオプションとして含み得る。プロセッサ２９１０は、この場合、バス２９１２または同様の通信結合を介してコンポーネント２９０２−２９０６と動作可能に通信し得る。プロセッサ２９１０は、電子コンポーネント２９０２−２９０６によって実行される処理または機能の開始およびスケジューリングをもたらし得る。
【０１１５】
さらに関連する態様では、装置２９００は、他のネットワークエンティティと通信するためのネットワークインターフェースコンポーネント２９１４を含み得る。装置２９００は、例えば、メモリデバイス／コンポーネント２９１６のような、情報を格納するためのコンポーネントをオプションとして含み得る。コンピュータ可読媒体またはメモリコンポーネント２９１６は、バス２９１２または同様のものを介して、装置２９００の他のコンポーネントに動作可能に結合され得る。メモリコンポーネント２９１６は、コンポーネント２９０２−２９０６およびそれのサブコンポーネント、あるいはプロセッサ２９１０のアクティビティを実行するためのコンピュータ可読命令およびデータを記憶することに適している。メモリコンポーネント２９１６は、コンポーネント２９０２−２９０６に関連付けられた機能を実行するための命令を保持し得る。メモリ２９１６の外側にあるように示されているが、コンポーネント２９０２−２９０６がメモリ２９１６内に存在することができることは理解されるべきである。
【０１１６】
図３０を参照して、免許支援アクセスネットワークにおけるサブフレームを割り振るための、ｅＮＢ、フェムトアクセスポイント、または他の適切なエンティティのようなワイヤレスエンティティとして、あるいはモバイルエンティティ、ｅＮＢ、フェムトアクセスポイント、または他の適切なエンティティ内の使用のためのプロセッサ、コンポーネントまたは類似のデバイスとして構成され得る、例示的な装置３０００が提供される。装置３０００は、プロセッサ、ソフトウェア、またはこれらの組み合わせ（例えば、ファームウェア）によって実現される機能を表し得る機能ブロックを含み得る。
【０１１７】
例示されるように、一実施形態では、装置３０００は、第２の基地局から来たるサブフレームのためのスケジューリング情報を受信するための電子コンポーネントまたはモジュール３００２を含み得る。装置３０００は、来たるサブフレームが第２の基地局に関連付けられた中心ＵＥの第２のセットに割り振られると決定するための電子コンポーネントまたはモジュール３００４を含み得る。装置３０００は、中心ＵＥの第１のセットに、対応するサブフレームを割り振るための電子コンポーネントまたはモジュール３００６を含み得る。
【０１１８】
関連する態様では、装置３０００は、ネットワークエンティティとして構成される装置３０００の場合に、少なくとも１つのプロセッサを有するプロセッサコンポーネント３０１０をオプションとして含み得る。プロセッサ３０１０は、この場合、バス３０１２または同様の通信結合を介してコンポーネント３００２−３００６と動作可能に通信し得る。プロセッサ３０１０は、電子コンポーネント３００２−３００６によって実行される処理または機能の開始およびスケジューリングをもたらし得る。
【０１１９】
さらに関連する態様では、装置３０００は、他のネットワークエンティティと通信するためのネットワークインターフェースコンポーネント３０１４を含み得る。装置３０００は、例えば、メモリデバイス／コンポーネント３０１６のような、情報を格納するためのコンポーネントをオプションとして含み得る。コンピュータ可読媒体またはメモリコンポーネント３０１６は、バス３０１２または同様のものを介して、装置３０００の他のコンポーネントに動作可能に結合され得る。メモリコンポーネント３０１６は、コンポーネント３００２−３００６およびそれのサブコンポーネント、あるいはプロセッサ３０１０のアクティビティを実行するためのコンピュータ可読命令およびデータを記憶することに適している。メモリコンポーネント３０１６は、コンポーネント３００２−３００６に関連付けられた機能を実行するための命令を保持し得る。メモリ３０１６の外側にあるように示されているが、コンポーネント３００２−３００６がメモリ３０１６内に存在することができることは理解されるべきである。
【０１２０】
当業者は、情報および信号が、様々な異なる技術および技法のうちのいずれかを使用して表され得ることを理解するであろう。例えば、上記の説明全体を通じて参照され得るデータ、命令、コマンド、情報、信号、ビット、シンボル、およびチップは、電圧、電流、電磁波、磁場または磁性粒子、光学場または光学粒子、あるいはそれらのいずれの組み合わせによっても表され得る。
【０１２１】
当業者はさらに、本明細書の開示に関連して説明された様々な例示的な論理ブロック、モジュール、回路、およびアルゴリズムステップが、電子ハードウェア、コンピュータソフトウェア、または両方の組み合わせとして実現され得ることを理解するであろう。ハードウェアとソフトウェアとのこの互換性を明確に例示するために、様々な例示的なコンポーネント、ブロック、モジュール、回路、およびステップが、それらの機能の観点から概して上で説明されてきた。このような機能性がハードウェアとして実施されるかソフトウェアとして実施されるかは、特定のアプリケーション及びシステム全体に課せられる設計制約に依存する。当業者は、記述した機能性を特定のアプリケーションごとに様々な方法で実施し得るが、このような実施の決定は、本開示の範囲からの逸脱をさせるものとして解釈されるべきでない。
【０１２２】
本明細書の開示に関連して説明された様々な例示的な論理ブロック、モジュール、および回路は、本明細書で説明された機能を実行するように設計された汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはこれらの任意の組み合わせで、実現または実行され得る。汎用プロセッサはマイクロプロセッサであり得るが、代わりとして、プロセッサは、いずれの従来のプロセッサ、コントローラ、マイクロコントローラ、またはステートマシンでもあり得る。プロセッサはまた、コンピューティングデバイスの組合せ、たとえば、ＤＳＰとマイクロプロセッサの組合せ、複数のマイクロプロセッサ、ＤＳＰコアと連結した１つまたは複数のマイクロプロセッサ、またはあらゆる他のそうした構成、としても実装され得る。
【０１２３】
本明細書の開示に関連して説明された方法またはアルゴリズムのステップは、ハードウェアで直接的に、プロセッサによって実行されるソフトウェアモジュールで、またはその２つの組み合わせで、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術で知られている何か他の形態の記憶媒体中に存在し得る。プロセッサが記憶媒体から情報を読み出すこと、および記憶媒体に情報を書き込むことができるように、実例的な記憶媒体がプロセッサに結合される。代わりとして、記憶媒体は、プロセッサに不可欠であり得る。プロセッサおよび記憶媒体は、ＡＳＩＣ内に存在することができる。ＡＳＩＣは、ユーザ端末に存在し得る。代わりとして、プロセッサと記憶媒体は、ユーザ端末においてディスクリートコンポーネントとして存在し得る。
【０１２４】
１つまたは複数の典型的な設計において、説明された機能は、ハードウェア、ソフトウェア、ファームウェア、またはそれらの任意の組み合わせで実現され得る。ソフトウェアで実装される場合、機能は、コンピュータ可読媒体上で、１つまたは複数の命令またはコードとして記憶または送信され得る。コンピュータ可読媒体は、１つの場所から別の場所へのコンピュータプログラムの転送を容易にする何らかの媒体を含む通信媒体とコンピュータ記憶媒体との両方を含む。記憶媒体は、汎用または専用コンピュータによってアクセスされることができる任意の入手可能な媒体であり得る。限定ではなく例として、このようなコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、あるいは命令またはデータ構造の形態で所望のプログラムコード手段を搬送または記憶するために使用され得、汎用または特定用途のコンピュータあるいは汎用または特定用途のプロセッサによってアクセスされ得る何か他の媒体を備えることができる。また、任意の接続は、コンピュータ可読媒体を送信された信号の非一時的記憶を含む範囲に適切に名づけられ得る。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波のようなワイヤレス技術は、信号が時間の任意の非一時的長さのための記憶媒体またはデバイスメモリ上で送信チェーン中に保持される範囲に対して、媒体の定義に含まれる。本明細書で使用される場合、ディスク（disk）およびディスク（disc）は、コンパクトディスク（disc）（ＣＤ）、レーザーディスク（登録商標）（disc）、光学ディスク（disc）、デジタル多目的ディスク（disc）（ＤＶＤ）、フロッピー（登録商標）ディスク（disk）およびブルーレイディスク（disc）を含み、ここにおいて、ディスク（disk）は、大抵磁気的にデータを再生し、一方ディスク（disc）は、レーザを用いて光学的にデータを再生する。上記の組合せもまた、コンピュータ可読媒体の範囲内に含まれるべきである。
【０１２５】
本開示の先の説明は、本開示を製造または使用することをいずれの当業者にも可能にさせるために提供される。本開示に対する様々な修正は、当業者には容易に明らかであり、本明細書において定義された包括的な原理は、本開示の趣旨または範囲から逸脱することなく他のバリエーションに適用され得る。従って、本開示は、本明細書で説明された例および設計に限定されるように意図されたものではなく、本明細書で開示された原理および新規の特徴と一致する最大範囲を与えられるものとする。
【図１】
2018521567.tif 000004
【図２】
2018521567.tif 000005
【図３】
2018521567.tif 000006
【図４Ａ】
2018521567.tif 000007
【図４Ｂ】
2018521567.tif 000008
【図５】
2018521567.tif 000009
【図６】
2018521567.tif 000010
【図７Ａ】
2018521567.tif 000011
【図７Ｂ】
2018521567.tif 000012
【図８】
2018521567.tif 000013
【図９】
2018521567.tif 000014
【図１０】
2018521567.tif 000015
【図１１】
2018521567.tif 000016
【図１２】
2018521567.tif 000017
【図１３】
2018521567.tif 000018
【図１４】
2018521567.tif 000019
【図１５】
2018521567.tif 000020
【図１６】
2018521567.tif 000021
【図１７】
2018521567.tif 000022
【図１８】
2018521567.tif 000023
【図１９】
2018521567.tif 000024
【図２０】
2018521567.tif 000025
【図２１】
2018521567.tif 000026
【図２２】
2018521567.tif 000027
【図２３】
2018521567.tif 000028
【図２４】
2018521567.tif 000029
【図２５】
2018521567.tif 000030
【図２６】
2018521567.tif 000031
【図２７】
2018521567.tif 000032
【図２８】
2018521567.tif 000033
【図２９】
2018521567.tif 000034
【図３０】
2018521567.tif 000035
【国際調査報告】
2018521567.tif 000036
2018521567.tif 000037
2018521567.tif 000038